(57)【特許請求の範囲】
【請求項１】
光パスの切替えを行う光スイッチを有する光クロスコネクト装置が夫々搭載された複数のノードを接続して構成される光ネットワークにおける光パス正常性確認方法であって、
パス起動ノードからパス終端ノードまで光パス設定通知を光パスに沿ったノード毎に順次伝搬させることで、パス起動ノードからパス終端ノードまでの各ノードにおいて光スイッチのパス設定を行うことにより光パス設定通知で指定された光パスを形成し、
この光パスの形成後、パス起動ノードから検査通知をパス終端ノードに発行するとともに、パス起動ノードで監視光信号を発生させて前記形成された光パス上に監視光信号を下流方向に送出し、
パス終端ノードは、前記検査通知の受信により前記監視光信号を監視して光パスの正常／障害発生を判断し、その判断結果を示す正常通知または障害通知をパス起動ノードまたは光ネットワークの管理装置に送信する
ことにより下流方向パスの正常性の確認を行うことを特徴とする光ネットワークにおける光パス正常性確認方法。
【請求項２】
前記光パス設定通知によるパス設定の際、パス終端ノードでは、下流側のノードに監視光信号が出力されないように光スイッチの設定を行うことを特徴とする請求項１に記載の光ネットワークにおける光パス正常性確認方法。
【請求項３】
光パスの切替えを行う光スイッチを有する光クロスコネクト装置が夫々搭載された複数のノードを接続して構成される光ネットワークにおける光パス正常性確認方法であって、
パス起動ノードからパス終端ノードまで光パス設定通知を光パスに沿ったノード毎に順次伝搬させることで、パス起動ノードからパス終端ノードまでの各ノードにおいて光スイッチのパス設定を行うことにより光パス設定通知で指定された光パスを形成し、
この光パスの形成後、パス終端ノードから検査通知をパス起動ノードに発行するとともに、パス終端ノードで監視光信号を発生させて前記形成された光パス上に監視光信号を上流方向に送出し、
パス起動ノードは、前記検査通知の受信により前記監視光信号を監視して光パスの正常／障害発生を判断し、その判断結果を示す正常通知または障害通知を光ネットワークの管理装置に送信する
ことにより上流方向パスの正常性の確認を行うことを特徴とする光ネットワークにおける光パス正常性確認方法。
【請求項４】
前記光パス設定通知によるパス設定の際、パス起動ノードでは、上流側のノードに監視光信号が出力されないように光スイッチの設定を行うことを特徴とする請求項３に記載の光ネットワークにおける光パス正常性確認方法。
【請求項５】
光パスの切替えを行う光スイッチを有する光クロスコネクト装置が夫々搭載された複数のノードを接続して構成される光ネットワークにおける光パス正常性確認方法であって、
パス起動ノードからパス終端ノードまで光パス設定通知を光パスに沿ったノード毎に順次伝搬させることで、パス起動ノードからパス終端ノードまでの各ノードにおいて光スイッチのパス設定を行うことにより光パス設定通知で指定された光パスを形成し、
この光パスの形成後、パス起動ノードは、監視光信号を発生させて前記形成された光パス上に監視光信号を送出するとともに、検査通知を光パスに沿った隣接する下流側のノードに発行し、
各中間ノードは、光パスに沿った隣接する上流側のノードからの検査通知を受信すると、前記監視光信号を監視して光パスの正常／障害発生を判断し、障害発生の場合は障害発生位置情報を含む障害通知をパス起動ノードまたは光ネットワークの管理装置に発行するとともに、光パスに沿った隣接する下流側のノードに対し障害発生の場合は障害発生位置情報を含む検査通知を発行し、さらに障害発生時には自ノードで監視光信号を発生させて下流方向光パス上に監視光信号を送出し、
パス終端ノードは、光パスに沿った隣接する上流側のノードからの検査通知を受信すると、前記監視光信号を監視し、その監視結果および検査通知に含まれる障害発生位置情報に基づき光パス全体の正常／障害発生を判断し、正常通知または障害発生位置情報を含む障害通知をパス起動ノードまたは光ネットワークの管理装置に送信する
ことにより下流方向パスの正常性の確認を行うことを特徴とする光ネットワークにおける光パス正常性確認方法。
【請求項６】
前記光パス設定通知によるパス設定の際、パス終端ノードでは、下流側のノードに監視光信号が出力されないように光スイッチの設定を行うことを特徴とする請求項５に記載の光ネットワークにおける光パス正常性確認方法。
【請求項７】
各中間ノードは、障害発生の場合、監視光信号を送出しているノードを示す監視光信号送出ノード情報を前記検査通知に付加して隣接する下流側のノードに送出し、各中間ノードは、障害発生の場合は、前記障害通知を前記検査通知に含まれる前記監視光信号送出ノード情報で識別されるノードにも送出することを特徴とする請求項５または６に記載の光ネットワークにおける光パス正常性確認方法。
【請求項８】
前記障害通知を受信したノードでは、監視光信号の送出を停止することを特徴とする請求項５〜７の何れか一つに記載の光ネットワークにおける光パス正常性確認方法。
【請求項９】
光パスの切替えを行う光スイッチを有する光クロスコネクト装置が夫々搭載された複数のノードを接続して構成される光ネットワークにおける光パス正常性確認方法であって、
パス起動ノードからパス終端ノードまで光パス設定通知を光パスに沿ったノード毎に順次伝搬させることで、パス起動ノードからパス終端ノードまでの各ノードにおいて光スイッチのパス設定を行うことにより光パス設定通知で指定された光パスを形成し、
この光パスの形成後、パス終端ノードは、監視光信号を発生させて前記形成された光パス上に監視光信号を送出するとともに、検査通知を光パスに沿った隣接する上流側のノードに発行し、
各中間ノードは、光パスに沿った隣接する下流側のノードからの検査通知を受信すると、前記監視光信号を監視して光パスの正常／障害発生を判断し、障害発生の場合は障害発生位置情報を含む障害通知をパス起動ノードまたは光ネットワークの管理装置に発行するとともに、光パスに沿った隣接する上流側のノードに対し障害発生の場合は障害発生位置情報を含む検査通知を発行し、さらに障害発生時には自ノードで監視光信号を発生させて上流方向光パス上に監視光信号を送出し、
パス起動ノードは、光パスに沿った隣接する下流側のノードからの検査通知を受信すると、前記監視光信号を監視し、その監視結果および検査通知に含まれる障害発生位置情報に基づき光パス全体の正常／障害発生を判断し、正常通知または障害発生位置情報を含む障害通知を光ネットワークの管理装置に送信する
ことにより上流方向パスの正常性の確認を行うことを特徴とする光ネットワークにおける光パス正常性確認方法。
【請求項１０】
前記光パス設定通知によるパス設定の際、パス起動ノードでは、上流側のノードに監視光信号が出力されないように光スイッチの設定を行うことを特徴とする請求項９に記載の光ネットワークにおける光パス正常性確認方法。
【請求項１１】
各中間ノードは、障害発生の場合、監視光信号を送出しているノードを示す監視光信号送出ノード情報を前記検査通知に付加して隣接する上流側のノードに送出し、各中間ノードは、障害発生の場合は、前記障害通知を前記検査通知に含まれる前記監視光信号送出ノード情報で識別されるノードにも送出することを特徴とする請求項９または１０に記載の光ネットワークにおける光パス正常性確認方法。
【請求項１２】
前記障害通知を受信したノードでは、監視光信号の送出を停止することを特徴とする請求項９〜１１の何れか一つに記載の光ネットワークにおける光パス正常性確認方法。
【請求項１３】
光パスの切替えを行う光スイッチを有する光クロスコネクト装置が夫々搭載された複数のノードを接続して構成される光ネットワークにおける光パス正常性確認方法であって、
パス起動ノードからパス終端ノードまで光パス設定通知を光パスに沿ったノード毎に順次伝搬させることで、パス起動ノードからパス終端ノードまでの各ノードにおいて光スイッチのパス設定を行うことにより光パス設定通知で指定された光パスを形成し、
この光パスの形成後、パス起動ノードは、監視光信号を発生させて前記形成された光パス上に監視光信号を送出するとともに、検査通知を光パスに沿った隣接する下流側のノードに発行し、
各中間ノードは、光パスに沿った隣接する上流側のノードからの検査通知を受信すると、前記監視光信号を監視して光パスの正常／障害発生を判断し、障害発生の場合は非検出通知を隣接する上流側のノードに発行するとともに障害発生位置情報を含む障害通知をパス起動ノードまたは光ネットワークの管理装置に発行し、光パスに沿った隣接する下流側のノードに対し障害発生の場合は障害発生位置情報を含む検査通知を発行し、さらに隣接する下流側のノードから非検出通知を受信すると自ノードで監視光信号を発生させて下流方向光パス上に監視光信号を送出し、
パス終端ノードは、光パスに沿った隣接する上流側のノードからの検査通知を受信すると、前記監視光信号を監視し、その監視結果および検査通知に含まれる障害発生位置情報に基づき光パス全体の正常／障害発生を判断し、正常通知または障害発生位置情報を含む障害通知をパス起動ノードまたは光ネットワークの管理装置に送信する
ことにより下流方向パスの正常性の確認を行うことを特徴とする光ネットワークにおける光パス正常性確認方法。
【請求項１４】
前記光パス設定通知によるパス設定の際、パス終端ノードでは、下流側のノードに監視光信号が出力されないように光スイッチの設定を行うことを特徴とする請求項１３に記載の光ネットワークにおける光パス正常性確認方法。
【請求項１５】
各中間ノードは、障害発生の場合、監視光信号を送出しているノードを示す監視光信号送出ノード情報を前記検査通知に付加して隣接する下流側のノードに送出し、各中間ノードは、障害発生の場合は、前記障害通知を前記検査通知に含まれる前記監視光信号送出ノード情報で識別されるノードにも送出することを特徴とする請求項１３または１４に記載の光ネットワークにおける光パス正常性確認方法。
【請求項１６】
前記障害通知を受信したノードでは、監視光信号の送出を停止することを特徴とする請求項１３〜１５の何れか一つに記載の光ネットワークにおける光パス正常性確認方法。
【請求項１７】
光パスの切替えを行う光スイッチを有する光クロスコネクト装置が夫々搭載された複数のノードを接続して構成される光ネットワークにおける光パス正常性確認方法であって、
パス起動ノードからパス終端ノードまで光パス設定通知を光パスに沿ったノード毎に順次伝搬させることで、パス起動ノードからパス終端ノードまでの各ノードにおいて光スイッチのパス設定を行うことにより光パス設定通知で指定された光パスを形成し、
この光パスの形成後、パス終端ノードは、監視光信号を発生させて前記形成された光パス上に監視光信号を送出するとともに、検査通知を光パスに沿った隣接する上流側のノードに発行し、
各中間ノードは、光パスに沿った隣接する下流側のノードからの検査通知を受信すると、前記監視光信号を監視して光パスの正常／障害発生を判断し、障害発生の場合は非検出通知を隣接する下流側のノードに発行するとともに障害発生位置情報を含む障害通知をパス起動ノードまたは光ネットワークの管理装置に発行し、光パスに沿った隣接する上流側のノードに対し障害発生の場合は障害発生位置情報を含む検査通知を発行し、さらに隣接する上流側のノードから非検出通知を受信すると自ノードで監視光信号を発生させて上流方向光パス上に監視光信号を送出し、
パス起動ノードは、光パスに沿った隣接する下流側のノードからの検査通知を受信すると、前記監視光信号を監視し、その監視結果および検査通知に含まれる障害発生位置情報に基づき光パス全体の正常／障害発生を判断し、正常通知または障害発生位置情報を含む障害通知を光ネットワークの管理装置に送信する
ことにより上流方向パスの正常性の確認を行うことを特徴とする光ネットワークにおける光パス正常性確認方法。
【請求項１８】
前記光パス設定通知によるパス設定の際、パス起動ノードでは、上流側のノードに監視光信号が出力されないように光スイッチの設定を行うことを特徴とする請求項１７に記載の光ネットワークにおける光パス正常性確認方法。
【請求項１９】
各中間ノードは、障害発生の場合、監視光信号を送出しているノードを示す監視光信号送出ノード情報を前記検査通知に付加して隣接する上流側のノードに送出し、各中間ノードは、障害発生の場合は、前記障害通知を前記検査通知に含まれる前記監視光信号送出ノード情報で識別されるノードにも送出することを特徴とする請求項１７または１８に記載の光ネットワークにおける光パス正常性確認方法。
【請求項２０】
前記障害通知を受信したノードでは、監視光信号の送出を停止することを特徴とする請求項１７〜１９の何れか一つに記載の光ネットワークにおける光パス正常性確認方法。
【請求項２１】
光パスの切替えを行う光スイッチを有する光クロスコネクト装置が夫々搭載された複数のノードを接続して構成される光ネットワークにおける光パス正常性確認方法であって、
パス起動ノードは、光スイッチのパス設定を行い、光パス設定通知を光パスに沿った隣接する下流側のノードに発行し、自ノードで監視光信号を発生させて前記隣接する下流側のノードに監視光信号および検査通知を送出し、隣接する下流側のノードからの非検出通知または検出通知を受信すると、監視光信号の送出を停止し、
各中間ノードは、光パスに沿った隣接する上流側のノードから光パス設定通知を受信すると、光スイッチのパス設定を行い、隣接する上流側のノードから検査通知を受信すると、隣接する上流側のノードから監視光信号を監視して光パスの正常／障害発生を判断し、その判断結果に応じて非検出通知または検出通知を隣接する上流側のノードに発行するとともに障害発生の場合は障害発生位置情報を含む障害通知をパス起動ノードまたは光ネットワークの管理装置に発行し、さらに自ノードで監視光信号を発生させて隣接する下流側のノードに監視光信号および検査通知を送出し、隣接する下流側のノードからの非検出通知または検出通知を受信すると、監視光信号の送出を停止し、
パス終端ノードは、隣接する上流側のノードから光パス設定通知を受信すると、光スイッチのパス設定を行い、隣接する上流側のノードから検査通知を受信すると、隣接する上流側のノードからの監視光信号を監視して光パスの正常／障害発生を判断し、その判断結果に応じて非検出通知または検出通知を隣接する上流側のノードに発行するとともに、障害発生の場合は障害発生位置情報を含む障害通知をパス起動ノードまたは光ネットワークの管理装置に発行する
ことにより下流方向パスの正常性の確認を行うことを特徴とする光ネットワークにおける光パス正常性確認方法。
【請求項２２】
前記光パス設定通知によるパス設定の際、パス終端ノードでは、下流側のノードに監視光信号が出力されないように光スイッチの設定を行うことを特徴とする請求項２１に記載の光ネットワークにおける光パス正常性確認方法。
【請求項２３】
各中間ノードは、隣接する下流側のノードからの非検出通知を受信すると、障害位置情報を含む障害通知をパス起動ノードまたは光ネットワークの管理装置に発行することを特徴とする請求項２１または２２に記載の光ネットワークにおける光パス正常性確認方法。
【請求項２４】
各ノードは、検査通知を隣接する下流側のノードに送出してから所定時間経過後も非検出通知または検出通知を受信しない場合、障害通知を発生することを特徴とする請求項２１〜２３の何れか一つに記載の光ネットワークにおける光パス正常性確認方法。
【請求項２５】
各ノードが隣接する下流側のノードに送出する検査通知には、障害発生の場合は障害発生位置情報を含んでおり、
前記パス終端ノードは、隣接する上流側のノードからの監視光信号を監視して光パスの正常／障害発生を判断し、その判断結果と検査通知に含まれる障害発生位置情報に基づき光パス全体の正常／障害発生を判断し、正常通知または障害発生位置情報を含む障害通知をパス起動ノードまたは光ネットワークの管理装置に送信することを特徴とする請求項２１〜２４の何れか一つに記載の光ネットワークにおける光パス正常性確認方法。
【請求項２６】
光パスの切替えを行う光スイッチを有する光クロスコネクト装置が夫々搭載された複数のノードを接続して構成される光ネットワークにおける光パス正常性確認方法であって、
パス起動ノードは、光スイッチのパス設定を行い、光パス設定通知を光パスに沿った隣接する下流側のノードに発行し、隣接する下流側のノードからの監視光信号および検査通知を受信すると、隣接する下流側のノードからの監視光信号を監視して光パスの正常／障害発生を判断し、その判断結果に応じて非検出通知または検出通知を隣接する下流側のノードに発行するとともに障害発生の場合は障害発生位置情報を含む障害通知を光ネットワークの管理装置に発行し、
各中間ノードは、光パスに沿った隣接する上流側のノードから光パス設定通知を受信すると、光スイッチのパス設定を行い、自ノードで監視光信号を発生させて隣接する下流側のノードに監視光信号および検査通知を送出し、隣接する下流側のノードからの非検出通知または検出通知を受信すると、監視光信号の送出を停止するとともに、隣接する上流側のノードから検査通知を受信すると、隣接する上流側のノードからの監視光信号を監視して光パスの正常／障害発生を判断し、その判断結果に応じて非検出通知または検出通知を隣接する下流側のノードに発行するとともに障害発生の場合は障害発生位置情報を含む障害通知をパス起動ノードまたは光ネットワークの管理装置に発行し、
パス終端ノードは、隣接する上流側のノードから光パス設定通知を受信すると、光スイッチのパス設定を行い、自ノードで監視光信号を発生させて隣接する上流側のノードに監視光信号および検査通知を送出し、隣接する上流側のノードからの非検出通知または検出通知を受信すると、監視光信号の送出を停止する
ことにより上流方向パスの正常性の確認を行うことを特徴とする光ネットワークにおける光パス正常性確認方法。
【請求項２７】
各ノードは、隣接する上流側のノードからの非検出通知を受信すると、障害位置情報を含む障害通知をパス起動ノードまたは光ネットワークの管理装置に発行することを特徴とする請求項２６に記載の光ネットワークにおける光パス正常性確認方法。
【請求項２８】
各ノードは、検査通知を隣接する上流側のノードに送出してから所定時間経過後も非検出通知または検出通知を受信しない場合、障害通知を発生することを特徴とする請求項２６または２７に記載の光ネットワークにおける光パス正常性確認方法。
【請求項２９】
各ノードが隣接する下流側のノードに送出する検出通知または非検出通知には、障害発生の場合は障害発生位置情報を含んでおり、
前記パス終端ノードは、検出通知または非検出通知に含まれる障害発生位置情報に基づき光パス全体の正常／障害発生を判断し、正常通知または障害発生位置情報を含む障害通知をパス起動ノードまたは光ネットワークの管理装置に送信することを特徴とする請求項２６〜２８の何れか一つに記載の光ネットワークにおける光パス正常性確認方法。
【請求項３０】
光パスの切替えを行う第一および第二の光スイッチと、前記第一と第二の光スイッチの出力を選択し出力する第三の光スイッチと、第一及び第二の光スイッチの前後で監視光信号を監視する前段および後段信号監視部とを有する光クロスコネクト装置が夫々搭載された複数のノードを接続して構成される光ネットワークにおける光パス正常性確認方法であって、
パス起動ノードからパス終端ノードまで現用光パス設定通知を光パスに沿ったノード毎に順次伝搬させることで、パス起動ノードおよびパス終端ノードでは前記第一の光スイッチを現用の光パスにパス設定しかつ第三の光スイッチが第一の光スイッチを選択するように設定するとともに、中間のノードにおいて光スイッチのパス設定を行うことにより現用光パス設定通知で指定された現用光パスを形成し、その後前記形成した現用光パスに下流方向に監視光信号を送出し、所定の光パス正常性確認処理を行うことで、現用光パスの正常性確認を行う現用光パス確認ステップと、
パス起動ノードからパス終端ノードまで予備用光パス設定通知を光パスに沿ったノード毎に順次伝搬させることで、パス起動ノードでは前記第二の光スイッチを予備用の光パスにパス設定しかつ第三の光スイッチが第二の光スイッチを選択するように設定し、パス終端ノードでは第一および第三の光スイッチが前記現用パス確認ステップで設定された状態を保持し、中間のノードにおいて光スイッチのパス設定を行うことにより予備用光パス設定通知で指定された予備用光パスを形成し、その後前記形成した予備用光パスに下流方向に監視光信号を送出し、パス終端ノードの前段信号監視部を用いて所定の光パス正常性確認処理を行うことで、予備用光パスの正常性確認を行う予備用光パス確認ステップと、
を備えることにより下流方向パスの正常性の確認を行うことを特徴とする光ネットワークにおける光パス正常性確認方法。
【請求項３１】
請求項１〜２０の何れか一つに記載の光ネットワークにおける光パス正常性確認方法を用いて前記所定の光パス正常性確認処理を実行することを特徴とする請求項３０に記載の光ネットワークにおける光パス正常性確認方法。
【請求項３２】
光パスの切替えを行う第一および第二の光スイッチと、前記第一と第二の光スイッチの出力を選択し出力する第三の光スイッチと、第一及び第二の光スイッチの前後で監視光信号を監視する前段および後段信号監視部とを有する光クロスコネクト装置が夫々搭載された複数のノードを接続して構成される光ネットワークにおける光パス正常性確認方法であって、
パス起動ノードからパス終端ノードまで現用光パス設定通知を光パスに沿ったノード毎に順次伝搬させることで、パス起動ノードおよびパス終端ノードでは前記第一の光スイッチを現用の光パスにパス設定しかつ第三の光スイッチが第一の光スイッチを選択するように設定するとともに、中間のノードにおいて光スイッチのパス設定を行うことにより現用光パス設定通知で指定された現用光パスを形成し、その後前記形成した現用光パスに上流方向に監視光信号を送出し、所定の光パス正常性確認処理を行うことで、現用光パスの正常性確認を行う現用光パス確認ステップと、
パス起動ノードからパス終端ノードまで予備用光パス設定通知を光パスに沿ったノード毎に順次伝搬させることで、パス終端ノードでは前記第二の光スイッチを予備用の光パスにパス設定しかつ第三の光スイッチが第二の光スイッチを選択するように設定し、パス起動ノードでは第一および第三の光スイッチが前記現用パス確認ステップで設定された状態を保持し、中間のノードにおいて光スイッチのパス設定を行うことにより予備用光パス設定通知で指定された予備用光パスを形成し、その後前記形成した予備用光パスに上流方向に監視光信号を送出し、パス起動ノードの前段信号監視部を用いて所定の光パス正常性確認処理を行うことで、予備用光パスの正常性確認を行う予備用光パス確認ステップと、
を備えることにより上流方向パスの正常性の確認を行うことを特徴とする光ネットワークにおける光パス正常性確認方法。
【請求項３３】
請求項１〜２０の何れか一つに記載の光ネットワークにおける光パス正常性確認方法を用いて前記所定の光パス正常性確認処理を実行することを特徴とする請求項３２に記載の光ネットワークにおける光パス正常性確認方法。
【請求項３４】
光パスの切替えを行う光スイッチを有する光クロスコネクト装置が夫々搭載された複数のノードを接続して構成される光ネットワークにおける光パス正常性確認方法であって、
パス起動ノードからパス終端ノードまでに予備用光パスを設定して、この予備用光パスに対し所定の光パス正常性確認処理を行うことで、予備用光パスの正常性確認を先に行い、
この後、パス起動ノードからパス終端ノードまでに現用光パスを設定して、この現用光パスに対し所定の光パス正常性確認処理を行うことで、現用光パスの正常性確認を行う
ことを特徴とする光ネットワークにおける光パス正常性確認方法。
【請求項３５】
請求項１〜２０の何れか一つに記載の光ネットワークにおける光パス正常性確認方法を用いて前記所定の光パス正常性確認処理を実行することを特徴とする請求項３４に記載の光ネットワークにおける光パス正常性確認方法。
【発明の詳細な説明】
【０００１】
【発明の属する技術分野】
この発明は、光クロスコネクト装置(以下ＯＸＣ(Optical Cross Connect)と略す)によって構成される光回線交換ネットワークの論理網上に設定された光パスに対し、物理媒体上に形成された実際の光パスの正常性を確認する光ネットワークにおける光パス正常性確認方法に関するものである。
【０００２】
【従来の技術】
近年、ネットワークを流れるトラヒックの増加からますます大容量、超高速な光ファイバ通信システムが望まれている。送信端局から受信端局まで電気的終端(Ｏ／Ｅ／Ｏ変換)装置を含まない光パスで構成すれば、信号の速度、フォーマットに依存せずに大容量の信号を送信することができる。そのため、ネットワーク内のノードにおける交換装置を、信号を光のままで切替可能なＯＸＣで構成し、パス起動ノードとパス終端ノードとの間を光パスで構成する全光型の光回線方式への要望が高まっている。
【０００３】
今後光パスにより、キャリア（第一種電気通信事業者）が管理するドメイン内を、他のキャリアの管理ドメインや顧客側の端局からの信号を透過的に光信号のまま通過させる可能性が出てくる。しかし光回線方式のようにフレーム内オーバーヘッドを利用したＳＤＨ／ＳＯＮＥＴに代表されるようなリンク毎の品質管理が困難な光伝送システムにおいては、障害管理が難しくなるという問題がある。
【０００４】
またＯＸＣはマイクロエレクトリックメカニカルスイッチ(ＭＥＭＳ)など内部に故障を自己診断することが難しい部品が使用されるため、制御信号上でリンク上に光パスの設定が成功したとしても、実際の物理媒体における光ファイバ伝送路上ではリンクへの光パスの形成に失敗している可能性があるという問題がある。さらに全光型ネットワークでは、ノード故障とリンク（ノード間の伝送路）障害の切り分けが難しいという問題もあり、パスの正常性を光信号断（ＬＯＳ）などの光モニタリングを用いて光パス全体の正常性を確認する方法が必要となる。
【０００５】
図２８は例えば、特開平１１−２７２０８号公報に示された従来の光パス監視法を備えたＯＸＣである。図２８において、１００はＯＸＣであり、１０１は光スイッチ回路、１０２は光入力端、１０３は光出力端、１０４は光信号監視部、１０５は光信号挿入部である。
【０００６】
次にこの従来技術によるＯＸＣの動作について説明する。ＯＸＣ１００は光スイッチ回路１０１を制御して、複数の光入力端１０２に接続された光ファイバ伝送路と複数の光出力端１０３に接続された光ファイバ伝送路を任意に接続することができる。また光ファイバ伝送路に対し、各ノードの光伝送端局送信路から信号を挿入および分離することが可能である。
【０００７】
また光入力端１０２もしくは光出力端１０３に接続された光伝送路中の何本かを現用伝送路として使用し、残りの伝送路を予備用伝送路として使用して、現用伝送路に障害が生じた場合には光スイッチ回路を制御して、予備用伝送路に切替えることで障害から復旧することができる。
【０００８】
さらにパス起動ノード側の光信号監視部１０４により、パス終端ノード側の光信号挿入部１０５から挿入された監視光信号を受信することにより、設定されている光パスの正常性を確認することができる。
【０００９】
【発明が解決しようとする課題】
光パス設定中または運用中に、光パスを変更することなしに実際に光パスを検査するためには、光パスを構成するノード間で連携を図ることが必要である。またパス終端ノードにおいて、光信号が後段の他のドメインのＯＸＣへ伝送される時や、光信号が光ファイバ伝送路から端局側へと分離される時、監視光信号が後段に伝達されないようＯＸＣを制御する必要がある。
【００１０】
しかし上記従来技術では、監視光信号および光信号監視部を含む装置構成についての開示があるが、光パスを構成する複数のＯＸＣ間でパス監視光とその制御信号をどのように送受して、光パスの正常性を確認することに関する記載は全くない。
【００１１】
この発明は上記に鑑みてなされたもので、光パスの監視を行うため、光パスを構成するＯＸＣを連携させて光パスの正常性を高速且つ信頼性よく検査することができる光ネットワークにおける光パス正常性確認方法を得ることを目的とする。
【００１２】
【課題を解決するための手段】
上記目的を達成するため、この発明にかかる光ネットワークにおける光パス正常性確認方法は、光パスの切替えを行う光スイッチを有する光クロスコネクト装置が夫々搭載された複数のノードを接続して構成される光ネットワークにおける光パス正常性確認方法であって、パス起動ノードからパス終端ノードまで光パス設定通知を光パスに沿ったノード毎に順次伝搬させることで、パス起動ノードからパス終端ノードまでの各ノードにおいて光スイッチのパス設定を行うことにより光パス設定通知で指定された光パスを形成し、この光パスの形成後、パス起動ノードから検査通知をパス終端ノードに発行するとともに、パス起動ノードで監視光信号を発生させて前記形成された光パス上に監視光信号を下流方向に送出し、パス終端ノードは、前記検査通知の受信により前記監視光信号を監視して光パスの正常／障害発生を判断し、その判断結果を示す正常通知または障害通知をパス起動ノードまたは光ネットワークの管理装置に送信することにより下流方向パスの正常性の確認を行うことを特徴とする。
【００１３】
この発明によれば、光パス設定通知を用いてパス起動ノードおよびパス終端ノード間で光パスを設定した後、監視光信号および検査通知、正常通知、障害通知などの制御信号をパス起動ノードとパス終端ノードの間でのみ送受信することにより下流方向光パスの正常性の確認を行うようにしているので、簡便で高速な光パスの検査が可能となる。
【００１４】
つぎの発明にかかる光ネットワークにおける光パス正常性確認方法は、上記の発明において、前記光パス設定通知によるパス設定の際、パス終端ノードでは、下流側のノードに監視光信号が出力されないように光スイッチの設定を行うことを特徴とする。
【００１５】
この発明によれば、光パス設定通知によるパス設定の際、パス終端ノードでは、下流側のノードに監視光信号が出力されないように光スイッチの設定を行っているので、パスの終端側の光出力端より先に監視光信を漏洩することなく光パスの正常性を確認することができる。
【００１６】
つぎの発明にかかる光ネットワークにおける光パス正常性確認方法は、光パスの切替えを行う光スイッチを有する光クロスコネクト装置が夫々搭載された複数のノードを接続して構成される光ネットワークにおける光パス正常性確認方法であって、パス起動ノードからパス終端ノードまで光パス設定通知を光パスに沿ったノード毎に順次伝搬させることで、パス起動ノードからパス終端ノードまでの各ノードにおいて光スイッチのパス設定を行うことにより光パス設定通知で指定された光パスを形成し、この光パスの形成後、パス終端ノードから検査通知をパス起動ノードに発行するとともに、パス終端ノードで監視光信号を発生させて前記形成された光パス上に監視光信号を上流方向に送出し、パス起動ノードは、前記検査通知の受信により前記監視光信号を監視して光パスの正常／障害発生を判断し、その判断結果を示す正常通知または障害通知を光ネットワークの管理装置に送信することにより上流方向パスの正常性の確認を行うことを特徴とする。
【００１７】
この発明によれば、光パス設定通知を用いてパス起動ノードおよびパス終端ノード間で光パスを設定した後、監視光信号および検査通知、正常通知、障害通知などの制御信号をパス起動ノードとパス終端ノードの間でのみ送受信することにより上流方向光パスの正常性の確認を行うようにしているので、簡便で高速な光パスの検査が可能となる。
【００１８】
つぎの発明にかかる光ネットワークにおける光パス正常性確認方法は、上記の発明において、前記光パス設定通知によるパス設定の際、パス起動ノードでは、上流側のノードに監視光信号が出力されないように光スイッチの設定を行うことを特徴とする。
【００１９】
この発明によれば、光パス設定通知によるパス設定の際、パス起動ノードでは、上流側のノードに監視光信号が出力されないように光スイッチの設定を行っているので、パスの起動側の光出力端より上流側に監視光信を漏洩することなく光パスの正常性を確認することができる。
【００２０】
つぎの発明にかかる光ネットワークにおける光パス正常性確認方法は、光パスの切替えを行う光スイッチを有する光クロスコネクト装置が夫々搭載された複数のノードを接続して構成される光ネットワークにおける光パス正常性確認方法であって、パス起動ノードからパス終端ノードまで光パス設定通知を光パスに沿ったノード毎に順次伝搬させることで、パス起動ノードからパス終端ノードまでの各ノードにおいて光スイッチのパス設定を行うことにより光パス設定通知で指定された光パスを形成し、この光パスの形成後、パス起動ノードは、監視光信号を発生させて前記形成された光パス上に監視光信号を送出するとともに、検査通知を光パスに沿った隣接する下流側のノードに発行し、各中間ノードは、光パスに沿った隣接する上流側のノードからの検査通知を受信すると、前記監視光信号を監視して光パスの正常／障害発生を判断し、障害発生の場合は障害発生位置情報を含む障害通知をパス起動ノードまたは光ネットワークの管理装置に発行するとともに、光パスに沿った隣接する下流側のノードに対し障害発生の場合は障害発生位置情報を含む検査通知を発行し、さらに障害発生時には自ノードで監視光信号を発生させて下流方向光パス上に監視光信号を送出し、パス終端ノードは、光パスに沿った隣接する上流側のノードからの検査通知を受信すると、前記監視光信号を監視し、その監視結果および検査通知に含まれる障害発生位置情報に基づき光パス全体の正常／障害発生を判断し、正常通知または障害発生位置情報を含む障害通知をパス起動ノードまたは光ネットワークの管理装置に送信することにより下流方向パスの正常性の確認を行うことを特徴とする。
【００２１】
この発明によれば、光パス設定通知を用いてパス起動ノードおよびパス終端ノード間で光パスを設定した後、監視光信号および検査通知などの制御信号を隣接ノード間で送受信することで、隣接ノード間毎に伝送路の正常性を確認することによって下流方向光パスの正常性を検査確認するようにしており、また、監視光信号は、途中の伝送路で障害が発生したとき以外は、パス起動ノードで発生させている。
【００２２】
つぎの発明にかかる光ネットワークにおける光パス正常性確認方法は、上記の発明において、前記光パス設定通知によるパス設定の際、パス終端ノードでは、下流側のノードに監視光信号が出力されないように光スイッチの設定を行うことを特徴とする。
【００２３】
この発明によれば、光パス設定通知によるパス設定の際、パス終端ノードでは、下流側のノードに監視光信号が出力されないように光スイッチの設定を行っているので、パスの終端側の光出力端より先に監視光信号を漏洩することなく光パスの正常性を確認することができる。
【００２４】
つぎの発明にかかる光ネットワークにおける光パス正常性確認方法は、上記の発明において、各中間ノードは、障害発生の場合、監視光信号を送出しているノードを示す監視光信号送出ノード情報を前記検査通知に付加して隣接する下流側のノードに送出し、各中間ノードは、障害発生の場合は、前記障害通知を前記検査通知に含まれる前記監視光信号送出ノード情報で識別されるノードにも送出することを特徴とする。
【００２５】
この発明によれば、各中間ノードは、障害発生の場合、監視光信号を送出しているノードを示す監視光信号送出ノード情報を前記検査通知に付加して隣接する下流側のノードに送出し、各中間ノードは、障害発生の場合は、障害通知を検査通知に含まれる監視光信号送出ノード情報で識別されるノードにも送出するようにしている。
【００２６】
つぎの発明にかかる光ネットワークにおける光パス正常性確認方法は、上記の発明において、前記障害通知を受信したノードでは、監視光信号の送出を停止することを特徴とする。
【００２７】
この発明によれば、障害通知を受信したノードでは、監視光信号の送出を停止するようにしている。
【００２８】
つぎの発明にかかる光ネットワークにおける光パス正常性確認方法は、光パスの切替えを行う光スイッチを有する光クロスコネクト装置が夫々搭載された複数のノードを接続して構成される光ネットワークにおける光パス正常性確認方法であって、パス起動ノードからパス終端ノードまで光パス設定通知を光パスに沿ったノード毎に順次伝搬させることで、パス起動ノードからパス終端ノードまでの各ノードにおいて光スイッチのパス設定を行うことにより光パス設定通知で指定された光パスを形成し、この光パスの形成後、パス終端ノードは、監視光信号を発生させて前記形成された光パス上に監視光信号を送出するとともに、検査通知を光パスに沿った隣接する上流側のノードに発行し、各中間ノードは、光パスに沿った隣接する下流側のノードからの検査通知を受信すると、前記監視光信号を監視して光パスの正常／障害発生を判断し、障害発生の場合は障害発生位置情報を含む障害通知をパス起動ノードまたは光ネットワークの管理装置に発行するとともに、光パスに沿った隣接する上流側のノードに対し障害発生の場合は障害発生位置情報を含む検査通知を発行し、さらに障害発生時には自ノードで監視光信号を発生させて上流方向光パス上に監視光信号を送出し、パス起動ノードは、光パスに沿った隣接する下流側のノードからの検査通知を受信すると、前記監視光信号を監視し、その監視結果および検査通知に含まれる障害発生位置情報に基づき光パス全体の正常／障害発生を判断し、正常通知または障害発生位置情報を含む障害通知を光ネットワークの管理装置に送信することにより上流方向パスの正常性の確認を行うことを特徴とする。
【００２９】
この発明によれば、光パス設定通知を用いてパス起動ノードおよびパス終端ノード間で光パスを設定した後、監視光信号および検査通知などの制御信号を隣接ノード間で送受信することで、隣接ノード間毎に伝送路の正常性を確認することによって上流方向光パスの正常性を検査確認するようにしており、また、監視光信号は、途中の伝送路で障害が発生したとき以外は、パス終端ノードで発生させている。
【００３０】
つぎの発明にかかる光ネットワークにおける光パス正常性確認方法は、上記の発明において、前記光パス設定通知によるパス設定の際、パス起動ノードでは、上流側のノードに監視光信号が出力されないように光スイッチの設定を行うことを特徴とする。
【００３１】
この発明によれば、光パス設定通知によるパス設定の際、パス起動ノードでは、上流側のノードに監視光信号が出力されないように光スイッチの設定を行っているので、パスの起動側の光出力端より上流側に監視光信号を漏洩することなく光パスの正常性を確認することができる。
【００３２】
つぎの発明にかかる光ネットワークにおける光パス正常性確認方法は、上記の発明において、各中間ノードは、障害発生の場合、監視光信号を送出しているノードを示す監視光信号送出ノード情報を前記検査通知に付加して隣接する上流側のノードに送出し、各中間ノードは、障害発生の場合は、前記障害通知を前記検査通知に含まれる前記監視光信号送出ノード情報で識別されるノードにも送出することを特徴とする。
【００３３】
この発明によれば、各中間ノードは、障害発生の場合、監視光信号を送出しているノードを示す監視光信号送出ノード情報を前記検査通知に付加して隣接する上流側のノードに送出し、各中間ノードは、障害発生の場合は、障害通知を検査通知に含まれる監視光信号送出ノード情報で識別されるノードにも送出するようにしている。
【００３４】
つぎの発明にかかる光ネットワークにおける光パス正常性確認方法は、上記の発明において、前記障害通知を受信したノードでは、監視光信号の送出を停止することを特徴とする。
【００３５】
この発明によれば、障害通知を受信したノードでは、監視光信号の送出を停止するようにしている。
【００３６】
つぎの発明にかかる光ネットワークにおける光パス正常性確認方法は、光パスの切替えを行う光スイッチを有する光クロスコネクト装置が夫々搭載された複数のノードを接続して構成される光ネットワークにおける光パス正常性確認方法であって、パス起動ノードからパス終端ノードまで光パス設定通知を光パスに沿ったノード毎に順次伝搬させることで、パス起動ノードからパス終端ノードまでの各ノードにおいて光スイッチのパス設定を行うことにより光パス設定通知で指定された光パスを形成し、この光パスの形成後、パス起動ノードは、監視光信号を発生させて前記形成された光パス上に監視光信号を送出するとともに、検査通知を光パスに沿った隣接する下流側のノードに発行し、各中間ノードは、光パスに沿った隣接する上流側のノードからの検査通知を受信すると、前記監視光信号を監視して光パスの正常／障害発生を判断し、障害発生の場合は非検出通知を隣接する上流側のノードに発行するとともに障害発生位置情報を含む障害通知をパス起動ノードまたは光ネットワークの管理装置に発行し、光パスに沿った隣接する下流側のノードに対し障害発生の場合は障害発生位置情報を含む検査通知を発行し、さらに隣接する下流側のノードから非検出通知を受信すると自ノードで監視光信号を発生させて下流方向光パス上に監視光信号を送出し、パス終端ノードは、光パスに沿った隣接する上流側のノードからの検査通知を受信すると、前記監視光信号を監視し、その監視結果および検査通知に含まれる障害発生位置情報に基づき光パス全体の正常／障害発生を判断し、正常通知または障害発生位置情報を含む障害通知をパス起動ノードまたは光ネットワークの管理装置に送信することにより下流方向パスの正常性の確認を行うことを特徴とする。
【００３７】
この発明によれば、光パス設定通知を用いてパス起動ノードおよびパス終端ノード間で光パスを設定した後、連続した３個のノード間を基本単位にして、１ノードずつ基本単位を順次ずらしながら伝送路の正常性を確認することで、下流方向光パスの正常性を確認しており、監視光信号は、途中の伝送路で障害が発生したとき以外は、パス起動ノードで発生させている。
【００３８】
つぎの発明にかかる光ネットワークにおける光パス正常性確認方法は、上記の発明において、前記光パス設定通知によるパス設定の際、パス終端ノードでは、下流側のノードに監視光信号が出力されないように光スイッチの設定を行うことを特徴とする。
【００３９】
この発明によれば、光パス設定通知によるパス設定の際、パス終端ノードでは、下流側のノードに監視光信号が出力されないように光スイッチの設定を行っているので、パスの終端側の光出力端より先に監視光信号を漏洩することなく光パスの正常性を確認することができる。
【００４０】
つぎの発明にかかる光ネットワークにおける光パス正常性確認方法は、上記の発明において、各中間ノードは、障害発生の場合、監視光信号を送出しているノードを示す監視光信号送出ノード情報を前記検査通知に付加して隣接する下流側のノードに送出し、各中間ノードは、障害発生の場合は、前記障害通知を前記検査通知に含まれる前記監視光信号送出ノード情報で識別されるノードにも送出することを特徴とする。
【００４１】
この発明によれば、各中間ノードは、障害発生の場合、監視光信号を送出しているノードを示す監視光信号送出ノード情報を検査通知に付加して隣接する下流側のノードに送出し、各中間ノードは、障害発生の場合は、障害通知を検査通知に含まれる監視光信号送出ノード情報で識別されるノードにも送出するようにしている。
【００４２】
つぎの発明にかかる光ネットワークにおける光パス正常性確認方法は、上記の発明において、前記障害通知を受信したノードでは、監視光信号の送出を停止することを特徴とする。
【００４３】
この発明によれば、障害通知を受信したノードでは、監視光信号の送出を停止するようにしている。
【００４４】
つぎの発明にかかる光ネットワークにおける光パス正常性確認方法は、光パスの切替えを行う光スイッチを有する光クロスコネクト装置が夫々搭載された複数のノードを接続して構成される光ネットワークにおける光パス正常性確認方法であって、パス起動ノードからパス終端ノードまで光パス設定通知を光パスに沿ったノード毎に順次伝搬させることで、パス起動ノードからパス終端ノードまでの各ノードにおいて光スイッチのパス設定を行うことにより光パス設定通知で指定された光パスを形成し、この光パスの形成後、パス終端ノードは、監視光信号を発生させて前記形成された光パス上に監視光信号を送出するとともに、検査通知を光パスに沿った隣接する上流側のノードに発行し、各中間ノードは、光パスに沿った隣接する下流側のノードからの検査通知を受信すると、前記監視光信号を監視して光パスの正常／障害発生を判断し、障害発生の場合は非検出通知を隣接する下流側のノードに発行するとともに障害発生位置情報を含む障害通知をパス起動ノードまたは光ネットワークの管理装置に発行し、光パスに沿った隣接する上流側のノードに対し障害発生の場合は障害発生位置情報を含む検査通知を発行し、さらに隣接する上流側のノードから非検出通知を受信すると自ノードで監視光信号を発生させて上流方向光パス上に監視光信号を送出し、パス起動ノードは、光パスに沿った隣接する下流側のノードからの検査通知を受信すると、前記監視光信号を監視し、その監視結果および検査通知に含まれる障害発生位置情報に基づき光パス全体の正常／障害発生を判断し、正常通知または障害発生位置情報を含む障害通知を光ネットワークの管理装置に送信することにより上流方向パスの正常性の確認を行うことを特徴とする。
【００４５】
この発明によれば、光パス設定通知を用いてパス起動ノードおよびパス終端ノード間で光パスを設定した後、連続した３個のノード間を基本単位にして、１ノードずつ基本単位を順次ずらしながら伝送路の正常性を確認することで、上流方向光パスの正常性を確認しており、監視光信号は、途中の伝送路で障害が発生したとき以外は、パス起動ノードで発生させている。
【００４６】
つぎの発明にかかる光ネットワークにおける光パス正常性確認方法は、上記の発明において、前記光パス設定通知によるパス設定の際、パス起動ノードでは、上流側のノードに監視光信号が出力されないように光スイッチの設定を行うことを特徴とする。
【００４７】
この発明によれば、光パス設定通知によるパス設定の際、パス起動ノードでは、上流側のノードに監視光信号が出力されないように光スイッチの設定を行っているので、パスの起動側の光出力端より上流側に監視光信号を漏洩することなく光パスの正常性を確認することができる。
【００４８】
つぎの発明にかかる光ネットワークにおける光パス正常性確認方法は、上記の発明において、各中間ノードは、障害発生の場合、監視光信号を送出しているノードを示す監視光信号送出ノード情報を前記検査通知に付加して隣接する上流側のノードに送出し、各中間ノードは、障害発生の場合は、前記障害通知を前記検査通知に含まれる前記監視光信号送出ノード情報で識別されるノードにも送出することを特徴とする。
【００４９】
この発明によれば、各中間ノードは、障害発生の場合、監視光信号を送出しているノードを示す監視光信号送出ノード情報を検査通知に付加して隣接する上流側のノードに送出し、各中間ノードは、障害発生の場合は、障害通知を検査通知に含まれる監視光信号送出ノード情報で識別されるノードにも送出するようにしている。
【００５０】
つぎの発明にかかる光ネットワークにおける光パス正常性確認方法は、上記の発明において、前記障害通知を受信したノードでは、監視光信号の送出を停止することを特徴とする。
【００５１】
この発明によれば、障害通知を受信したノードでは、監視光信号の送出を停止するようにしている。
【００５２】
つぎの発明にかかる光ネットワークにおける光パス正常性確認方法は、光パスの切替えを行う光スイッチを有する光クロスコネクト装置が夫々搭載された複数のノードを接続して構成される光ネットワークにおける光パス正常性確認方法であって、パス起動ノードは、光スイッチのパス設定を行い、光パス設定通知を光パスに沿った隣接する下流側のノードに発行し、自ノードで監視光信号を発生させて前記隣接する下流側のノードに監視光信号および検査通知を送出し、隣接する下流側のノードからの非検出通知または検出通知を受信すると、監視光信号の送出を停止し、各中間ノードは、光パスに沿った隣接する上流側のノードから光パス設定通知を受信すると、光スイッチのパス設定を行い、隣接する上流側のノードから検査通知を受信すると、隣接する上流側のノードから監視光信号を監視して光パスの正常／障害発生を判断し、その判断結果に応じて非検出通知または検出通知を隣接する上流側のノードに発行するとともに障害発生の場合は障害発生位置情報を含む障害通知をパス起動ノードまたは光ネットワークの管理装置に発行し、さらに自ノードで監視光信号を発生させて隣接する下流側のノードに監視光信号および検査通知を送出し、隣接する下流側のノードからの非検出通知または検出通知を受信すると、監視光信号の送出を停止し、パス終端ノードは、隣接する上流側のノードから光パス設定通知を受信すると、光スイッチのパス設定を行い、隣接する上流側のノードから検査通知を受信すると、隣接する上流側のノードからの監視光信号を監視して光パスの正常／障害発生を判断し、その判断結果に応じて非検出通知または検出通知を隣接する上流側のノードに発行するとともに、障害発生の場合は障害発生位置情報を含む障害通知をパス起動ノードまたは光ネットワークの管理装置に発行することにより下流方向パスの正常性の確認を行うことを特徴とする。
【００５３】
この発明によれば、パス起動ノードおよび各中間ノードで監視光信号を発生させ、光パス設定と同時に各ノード間のリンク毎に下流方向パスの正常性を検査するようにしている。
【００５４】
つぎの発明にかかる光ネットワークにおける光パス正常性確認方法は、上記の発明において、前記光パス設定通知によるパス設定の際、パス終端ノードでは、下流側のノードに監視光信号が出力されないように光スイッチの設定を行うことを特徴とする。
【００５５】
この発明によれば、光パス設定通知によるパス設定の際、パス終端ノードでは、下流側のノードに監視光信号が出力されないように光スイッチの設定を行っているので、パスの終端側の光出力端より先に監視光信号を漏洩することなく光パスの正常性を確認することができる。
【００５６】
つぎの発明にかかる光ネットワークにおける光パス正常性確認方法は、上記の発明において、各中間ノードは、隣接する下流側のノードからの非検出通知を受信すると、障害位置情報を含む障害通知をパス起動ノードまたは光ネットワークの管理装置に発行することを特徴とする。
【００５７】
この発明によれば、各中間ノードは、隣接する下流側のノードからの非検出通知を受信すると、障害位置情報を含む障害通知をパス起動ノードまたは光ネットワークの管理装置に発行するようにしている。
【００５８】
つぎの発明にかかる光ネットワークにおける光パス正常性確認方法は、上記の発明において、各ノードは、検査通知を隣接する下流側のノードに送出してから所定時間経過後も非検出通知または検出通知を受信しない場合、障害通知を発生することを特徴とする。
【００５９】
この発明によれば、各ノードは、検査通知を隣接する下流側のノードに送出してから所定時間経過後も非検出通知または検出通知を受信しない場合、障害通知を発生するようにしている。
【００６０】
つぎの発明にかかる光ネットワークにおける光パス正常性確認方法は、上記の発明において、各ノードが隣接する下流側のノードに送出する検査通知には、障害発生の場合は障害発生位置情報を含んでおり、前記パス終端ノードは、隣接する上流側のノードからの監視光信号を監視して光パスの正常／障害発生を判断し、その判断結果と検査通知に含まれる障害発生位置情報に基づき光パス全体の正常／障害発生を判断し、正常通知または障害発生位置情報を含む障害通知をパス起動ノードまたは光ネットワークの管理装置に送信することを特徴とする。
【００６１】
この発明によれば、各ノードが隣接する下流側のノードには、障害発生の場合は障害発生位置情報を含んでおり、パス終端ノードは、隣接する上流側のノードからの監視光信号を監視して光パスの正常／障害発生を判断し、その判断結果と検査通知に含まれる障害発生位置情報に基づき光パス全体の正常／障害発生を判断し、正常通知または障害発生位置情報を含む障害通知をパス起動ノードまたは光ネットワークの管理装置に送信するようにしている。
【００６２】
つぎの発明にかかる光ネットワークにおける光パス正常性確認方法は、光パスの切替えを行う光スイッチを有する光クロスコネクト装置が夫々搭載された複数のノードを接続して構成される光ネットワークにおける光パス正常性確認方法であって、パス起動ノードは、光スイッチのパス設定を行い、光パス設定通知を光パスに沿った隣接する下流側のノードに発行し、隣接する下流側のノードからの監視光信号および検査通知を受信すると、隣接する下流側のノードからの監視光信号を監視して光パスの正常／障害発生を判断し、その判断結果に応じて非検出通知または検出通知を隣接する下流側のノードに発行するとともに障害発生の場合は障害発生位置情報を含む障害通知を光ネットワークの管理装置に発行し、各中間ノードは、光パスに沿った隣接する上流側のノードから光パス設定通知を受信すると、光スイッチのパス設定を行い、自ノードで監視光信号を発生させて隣接する下流側のノードに監視光信号および検査通知を送出し、隣接する下流側のノードからの非検出通知または検出通知を受信すると、監視光信号の送出を停止するとともに、隣接する上流側のノードから検査通知を受信すると、隣接する上流側のノードからの監視光信号を監視して光パスの正常／障害発生を判断し、その判断結果に応じて非検出通知または検出通知を隣接する下流側のノードに発行するとともに障害発生の場合は障害発生位置情報を含む障害通知をパス起動ノードまたは光ネットワークの管理装置に発行し、パス終端ノードは、隣接する上流側のノードから光パス設定通知を受信すると、光スイッチのパス設定を行い、自ノードで監視光信号を発生させて隣接する上流側のノードに監視光信号および検査通知を送出し、隣接する上流側のノードからの非検出通知または検出通知を受信すると、監視光信号の送出を停止することにより上流方向パスの正常性の確認を行うことを特徴とする。
【００６３】
この発明によれば、パス終端ノードおよび各中間ノードで監視光信号を発生させ、光パス設定と同時に各ノード間のリンク毎に上流方向パスの正常性を検査するようにしている。
【００６４】
つぎの発明にかかる光ネットワークにおける光パス正常性確認方法は、上記の発明において、各ノードは、隣接する上流側のノードからの非検出通知を受信すると、障害位置情報を含む障害通知をパス起動ノードまたは光ネットワークの管理装置に発行することを特徴とする。
【００６５】
この発明によれば、各ノードは、隣接する上流側のノードからの非検出通知を受信すると、障害位置情報を含む障害通知をパス起動ノードまたは光ネットワークの管理装置に発行するようにしている。
【００６６】
つぎの発明にかかる光ネットワークにおける光パス正常性確認方法は、上記の発明において、各ノードは、検査通知を隣接する上流側のノードに送出してから所定時間経過後も非検出通知または検出通知を受信しない場合、障害通知を発生することを特徴とする。
【００６７】
この発明によれば、各ノードは、検査通知を隣接する上流側のノードに送出してから所定時間経過後も非検出通知または検出通知を受信しない場合、障害通知を発生するようにしている。
【００６８】
つぎの発明にかかる光ネットワークにおける光パス正常性確認方法は、上記の発明において、各ノードが隣接する下流側のノードに送出する検出通知または非検出通知には、障害発生の場合は障害発生位置情報を含んでおり、前記パス終端ノードは、検出通知または非検出通知に含まれる障害発生位置情報に基づき光パス全体の正常／障害発生を判断し、正常通知または障害発生位置情報を含む障害通知をパス起動ノードまたは光ネットワークの管理装置に送信することを特徴とする。
【００６９】
この発明によれば、各ノードが隣接する下流側のノードに送出する検出通知または非検出通知には、障害発生の場合は障害発生位置情報を含んでおり、パス終端ノードは、検出通知または非検出通知に含まれる障害発生位置情報に基づき光パス全体の正常／障害発生を判断し、正常通知または障害発生位置情報を含む障害通知をパス起動ノードまたは光ネットワークの管理装置に送信するようにしている。
【００７０】
つぎの発明にかかる光ネットワークにおける光パス正常性確認方法は、光パスの切替えを行う第一および第二の光スイッチと、前記第一と第二の光スイッチの出力を選択し出力する第三の光スイッチと、第一及び第二の光スイッチの前後で監視光信号を監視する前段および後段信号監視部とを有する光クロスコネクト装置が夫々搭載された複数のノードを接続して構成される光ネットワークにおける光パス正常性確認方法であって、パス起動ノードからパス終端ノードまで現用光パス設定通知を光パスに沿ったノード毎に順次伝搬させることで、パス起動ノードおよびパス終端ノードでは前記第一の光スイッチを現用の光パスにパス設定しかつ第三の光スイッチが第一の光スイッチを選択するように設定するとともに、中間のノードにおいて光スイッチのパス設定を行うことにより現用光パス設定通知で指定された現用光パスを形成し、その後前記形成した現用光パスに下流方向に監視光信号を送出し、所定の光パス正常性確認処理を行うことで、現用光パスの正常性確認を行う現用光パス確認ステップと、パス起動ノードからパス終端ノードまで予備用光パス設定通知を光パスに沿ったノード毎に順次伝搬させることで、パス起動ノードでは前記第二の光スイッチを予備用の光パスにパス設定しかつ第三の光スイッチが第二の光スイッチを選択するように設定し、パス終端ノードでは第一および第三の光スイッチが前記現用パス確認ステップで設定された状態を保持し、中間のノードにおいて光スイッチのパス設定を行うことにより予備用光パス設定通知で指定された予備用光パスを形成し、その後前記形成した予備用光パスに下流方向に監視光信号を送出し、パス終端ノードの前段信号監視部を用いて所定の光パス正常性確認処理を行うことで、予備用光パスの正常性確認を行う予備用光パス確認ステップとを備えることにより下流方向パスの正常性の確認を行うことを特徴とする。
【００７１】
この発明によれば、信号が複製された下流方向の予備用光パスを有する光パスを設定する場合に、パス終端ノードの光スイッチ回路をパス設定時に方路設定して監視を行った後、方路設定された現用光パスをそのままの状態に保持して、パス終端ノードの前段信号監視部を用いて予備用光パスの監視を実行するようにしており、方路設定された現用光パスをそのままの状態に保持したまま下流方向の予備用光パスの監視を実行できることとなり、これにより予備用光パスを検査している状態で実際の現用パス運用を開始することができる。
【００７２】
つぎの発明にかかる光ネットワークにおける光パス正常性確認方法は、上記の発明の何れか一つの光ネットワークにおける光パス正常性確認方法を用いて前記所定の光パス正常性確認処理を実行することを特徴とする。
【００７３】
つぎの発明にかかる光ネットワークにおける光パス正常性確認方法は、光パスの切替えを行う第一および第二の光スイッチと、前記第一と第二の光スイッチの出力を選択し出力する第三の光スイッチと、第一及び第二の光スイッチの前後で監視光信号を監視する前段および後段信号監視部とを有する光クロスコネクト装置が夫々搭載された複数のノードを接続して構成される光ネットワークにおける光パス正常性確認方法であって、パス起動ノードからパス終端ノードまで現用光パス設定通知を光パスに沿ったノード毎に順次伝搬させることで、パス起動ノードおよびパス終端ノードでは前記第一の光スイッチを現用の光パスにパス設定しかつ第三の光スイッチが第一の光スイッチを選択するように設定するとともに、中間のノードにおいて光スイッチのパス設定を行うことにより現用光パス設定通知で指定された現用光パスを形成し、その後前記形成した現用光パスに上流方向に監視光信号を送出し、所定の光パス正常性確認処理を行うことで、現用光パスの正常性確認を行う現用光パス確認ステップと、パス起動ノードからパス終端ノードまで予備用光パス設定通知を光パスに沿ったノード毎に順次伝搬させることで、パス終端ノードでは前記第二の光スイッチを予備用の光パスにパス設定しかつ第三の光スイッチが第二の光スイッチを選択するように設定し、パス起動ノードでは第一および第三の光スイッチが前記現用パス確認ステップで設定された状態を保持し、中間のノードにおいて光スイッチのパス設定を行うことにより予備用光パス設定通知で指定された予備用光パスを形成し、その後前記形成した予備用光パスに上流方向に監視光信号を送出し、パス起動ノードの前段信号監視部を用いて所定の光パス正常性確認処理を行うことで、予備用光パスの正常性確認を行う予備用光パス確認ステップとを備えることにより上流方向パスの正常性の確認を行うことを特徴とする。
【００７４】
この発明によれば、信号が複製された上流方向の予備用光パスを有する光パスを設定する場合に、パス起動ノードの光スイッチ回路をパス設定時に方路設定して監視を行った後、方路設定された現用光パスをそのままの状態に保持して、パス起動ノードの前段信号監視部を用いて予備用光パスの監視を実行するようにしており、方路設定された現用光パスをそのままの状態に保持したまま上流方向の予備用光パスの監視を実行できることとなり、これにより予備用光パスを検査している状態で実際の現用パス運用を開始することができる。
【００７５】
つぎの発明にかかる光ネットワークにおける光パス正常性確認方法は、上記の発明の何れか一つの光ネットワークにおける光パス正常性確認方法を用いて前記所定の光パス正常性確認処理を実行することを特徴とする。
【００７６】
つぎの発明にかかる光ネットワークにおける光パス正常性確認方法は、光パスの切替えを行う光スイッチを有する光クロスコネクト装置が夫々搭載された複数のノードを接続して構成される光ネットワークにおける光パス正常性確認方法であって、パス起動ノードからパス終端ノードまでに予備用光パスを設定して、この予備用光パスに対し所定の光パス正常性確認処理を行うことで、予備用光パスの正常性確認を先に行い、この後、パス起動ノードからパス終端ノードまでに現用光パスを設定して、この現用光パスに対し所定の光パス正常性確認処理を行うことで、現用光パスの正常性確認を行うことを特徴とする。
【００７７】
この発明によれば、先に予備用光パスを設定してからその後で現用光パスを設定するようにしたので、Ｍ：Ｎプロテクションにおいて、予備用光パスおよび現用光パスの設定後、現用パスの光スイッチ回路を保持したまま、実際のパス運用を開始することができる。
【００７８】
つぎの発明にかかる光ネットワークにおける光パス正常性確認方法は、上記の発明の何れか一つの光ネットワークにおける光パス正常性確認方法を用いて前記所定の光パス正常性確認処理を実行することを特徴とする。
【００７９】
【発明の実施の形態】
以下に添付図面を参照して、この発明にかかる光ネットワークにおける光パス正常性確認方法の好適な実施の形態を詳細に説明する。
【００８０】
実施の形態１．
この発明の実施の形態１としての光クロスコネクト装置（ＯＸＣ）１は、図１に示すＯＸＣ制御部１０と、図２に示すＯＸＣ光信号伝送部２０とを備えている。図１はＯＸＣ制御部１０の内部構成を示すブロック図であり、図２はＯＸＣ制御部１０により制御されるＯＸＣ光信号伝送部２０の内部構成の一例を示すブロック図である。
【００８１】
図２に示すＯＸＣ光信号伝送部２０は、複数の光入力端２１と、複数の送信端局に接続されるとともに複数の監視光信号用光源２９からの監視光信号Monが外部入力される複数の光外部入力端２２と、光入力端２１と前段信号監視部２４との間に配置される監視光信号挿入部２３と、光入力端２１と光スイッチ回路２５の間に配置される前段信号監視部２４と、光領域で光パス設定を行う光スイッチ回路２５と、光スイッチ回路２５と後段光スイッチ２７の間に配置される後段信号監視部２６と、光スイッチ回路２５と光出力端２８の間に配置される後段光スイッチ２７と、複数の光出力端２８と、ＯＸＣの内部あるいは外部に配置される監視光信号Monを発生する複数の監視光信号用光源２９とから構成されている。
【００８２】
図１に示すＯＸＣ制御部１０は、光スイッチ回路２５およびその他の光スイッチ（この場合は後段光スイッチ２７）の方路設定を制御するスイッチ制御部１１と、制御信号網１５を通じて各ノード間で光パスを監視するための各種制御情報を通信するとともにネットワーク上に光パスを設定するパス設定部１２と、後段信号監視部２６および前段信号監視部２４からの監視結果を処理し、検出された障害を通知し、制御信号網１５を通じて各ノード間で光パスを監視するための制御情報を通信するとともに監視光信号用光源２９を制御する正常性確認部１３とを備えている。
【００８３】
後段光スイッチ２７は例えば２×１の光スイッチで構成することが可能である。前段および後段信号監視部２４，２６は、例えば１：２カプラとフォトダイオードなどで構成することができ、それぞれ光入力端２１毎および光出力端２８毎に配置される。正常性確認部１３は、後段信号監視部２６および前段信号監視部２４から収集される監視光信号Monの状態、例えば設定された閾値と実際の光パワーの比較などから入射信号光が正常であるか否かを判断する。さらに正常性確認部１３はＯＸＣ１内に設定されているスイッチ構成に関する情報および通過光パス情報を記憶保持し、光パスが正常であるか否かを判断する。また、正常性確認部１３は監視光信号用光源２９を制御することで、監視光信号を光ファイバ伝送路上に送出させる。
【００８４】
このように構成されるＯＸＣ１を有する複数のノードが接続されることでネットワークが形成されている。各ノードのＯＸＣ１のパス設定部１２および正常性確認部１３によって制御信号網１５上を介して制御信号が送受信されることによってネットワーク内の光パスを構成する各ノードを連携させ、論理網上で設定された光パスが、実際に物理媒体である光ファイバ伝送路およびＯＸＣ１上に形成されているか否かを監視する。
【００８５】
図３は光パス正常性確認処理に係わる制御信号の種別の一覧であり、各制御信号別に、制御信号の略号と、その制御信号を使用する構成要素を示している。
【００８６】
光パス設定通知Path、リソース確保通知Resv、光パス設定認知通知、リソース確保認知通知は、光パスを設定するためにパス設定部１２により使用される。
【００８７】
検査通知Check、検出通知Ok、非検出通知Nok、正常通知Health、障害通知Faultおよび終了通知Endは、光パスの正常性を確認するために正常性確認部１３により設定される。
【００８８】
上記各通知（光パス設定通知Path、リソース確保通知Resv、光パス設定認知通知、リソース確保認知通知、（パス正常性）検査通知Check、検出通知Ok、非検出通知Nok、正常通知Health、障害通知Faultおよび終了通知End）は、正常性確認を実行している光パスを識別するための光パス識別情報を保持している。
【００８９】
また、検査通知Checkは、実行される光パス正常性確認法の種別を示す情報、その時点でどのＯＸＣが監視光信号Monを送信しているかを示す監視光信号送出ノード情報、並びに検出された障害位置を示す障害位置情報を保持している。
【００９０】
つぎに、図４を用いて、実施の形態１の光パス正常性確認処理について説明する。図４は光パスが正常に形成されている場合の各ノード間の制御信号および監視光信号Monの通信を表すシーケンスである。制御信号は細線で、監視光信号Monは太線で示している。
【００９１】
実施の形態１においては、光パス設定時に、光パスの正常性をパス起動ノードおよびパス終端ノード間で確認している。また、監視光信号Monは、パス起動ノードのみから発生させている。
【００９２】
以下の説明では、パス起動ノードはパス設定を開始するパスの端のノード、パス終端ノードはパスのもう一方の端にあるノードと定義する。また光ファイバ伝送路上を信号がパス起動ノードからパス終端ノードに向けて送信されるパスを下流方向パス、信号がパス終端ノードからパス起動ノードに向けて送信されるものを上流方向パスと定義する。この明細書では、上流側とは、各ノードから見てパス起動ノード側を意味し、下流側とは、各ノードから見てパス終端ノード側を意味している。
【００９３】
［下流方向パス確認］
まず、下流方向パスの確認動作について説明する。パス起動ノードの光入力端２１に入射される信号をパス終端ノードの光出力端２８に出射するよう光パスが設定される。この光パスはパス起動ノード、中間ノード＃１、中間ノード＃２、…、中間ノード＃Ｎおよびパス終端ノードのＮ＋２個のノードによって構成される。以下の図では、簡便のためノード数を５個として光パスを示している。
【００９４】
パス起動ノード内のＯＸＣ１のパス設定部１２がネットワークの管理装置または顧客の要求により指定されたパス設定情報に基づき光パス設定通知Pathを作成し、この作成した光パス設定通知Pathを発行する（Ｓ４１）。光パス設定通知Pathは、制御信号網１５を通じて光パスを構成する各ノードを順に中継して、パス終端ノードへ転送される（Ｓ４２）。
【００９５】
この光パス設定通知Pathを受信したパス終端ノードのパス設定部１２は、スイッチ制御部１１に指令を与えることで、光パス設定通知Pathに含まれる信号の宛て先情報に対応する光出力端２８に接続されている後段光スイッチ２７と、前段ノード（中間ノード＃３）との間で所定の光パスが形成されるように光スイッチ回路２５の方路設定を行うとともに、前記選択された後段光スイッチ２７をオフにして光を遮断するよう設定する。次にパス設定部１２はリソース確保通知Resvをパス起動ノードに対して返信する（Ｓ４３）。
【００９６】
パス終端ノードからのリソース確保通知Resvは、光パス設定通知Pathが送信されてきた制御信号網１５の経路を逆方向に転送される。リソース確保通知Resvを受信した各中間ノード＃１，＃２，＃３のＯＸＣ１のパス設定部１２は、スイッチ制御部１１に対し指令を与えることで、所要の光入力端２１および光出力端２８を接続して光パスが自ＯＸＣ１内を通過できるよう、光スイッチ回路２５および後段光スイッチ２７の方路設定を実行する（Ｓ４４）。
【００９７】
なお、中間ノード＃１，＃２，＃３における光スイッチ回路２５および後段光スイッチ２７の方路設定は、光パス設定通知Pathの伝送時（Ｓ４２）に、受信した光パス設定通知Path内のパス設定情報に基づき行うことも可能である。
【００９８】
制御信号網１５上を転送されてきたリソース確保通知Resvは、パス起動ノードのパス設定部１２によって受信される。パス起動ノードのパス設定部１２はスイッチ制御部１１に指令を与えることで、光入力端２１から光出力端２８までの光パスを形成するよう光スイッチ回路２５および後段光スイッチ２７の方路設定を実行する。
【００９９】
これにより光パスがパス起動ノードの光入力端２１から、パス終端ノードの後段光スイッチ２７に至るまで形成され、光パスの設定が完了する（Ｓ４５）。
【０１００】
上記に示されるパス設定部１２が行う光パス確立のための設定手順は例えばＧＭＰＬＳ（Generalized Multiprotocol Label Switching）のようなシグナリングプロトコルを使用することが可能である。
【０１０１】
光パスの設定を完了した後、パス起動ノードは光ファイバ伝送路上に光パスが形成されているか否かを確認するために光パス正常性検査を開始する。パス起動ノードのパス設定部１２が光パス設定完了を正常性確認部１３に伝えると、正常性確認部１３は光パス正常性検査を行うように命令する検査通知Checkを制御信号網１５を介してパス終端ノードに向けて発行するとともに、監視光信号挿入部２３から送信端局への線路に接続されている監視光信号用光源２９に監視光信号Monを発生させるよう指示する（Ｓ４６）。
【０１０２】
パス起動ノードで発行された検査通知Checkは、光パスが設定されているノードを順に転送される必要はなく、制御信号網１５上の他の経路を使用することも可能である。
【０１０３】
検査通知Checkを受信したパス終端ノードの正常性確認部１３は、前記選択された後段信号監視部２６で監視光信号Monが正常に検出されているか否かを確認し、もし正常に検出されているなら、パス起動ノードに対して光パスの正常を示す正常通知Healthを制御信号網１５を介して発行する（Ｓ４７）。
【０１０４】
正常通知Healthを受信したパス起動ノードは、パス正常性確認処理の終了を示す終了通知Endをパス終端ノードに対して送信し（Ｓ４８）、パス終端ノードがそれを受信してパス正常性確認の処理が終了する（Ｓ４９）。
【０１０５】
つぎに、図５を参照して、設定する光パス上に障害がある場合の正常性確認処理のシーケンスを説明する。光ファイバ伝送路上に障害が存在し（Ｓ５１）、パス終端ノードの設定パスに対応する後段信号監視部２６において一定時間が経過しても監視光信号Monが検出されないか、或いはこの監視光信号Monが所望の品質に達していないことが検出された場合は、パス終端ノードの正常性確認部１３が設定パス中に障害があると判断し、障害通知Faultをパス起動ノードに制御信号網１５を介して発行する（Ｓ５２）。
【０１０６】
監視光信号Monが到達していない場合に、パス終端ノードが検査通知Checkを受信してから障害通知Faultを発行するまでの時間間隔は、予めパス終端ノードの正常性確認部１３に設定しておいてもよいし、検査通知Checkに保持してパス起動ノードからパス終端ノードに伝達するようにしてもよい。また、検査通知Checkと監視光信号Monの送信を同時に行うように設定し、検査通知Checkをパス終端ノードが受信した時点で光パスの正常性を検査し、監視光信号Monが到達していない場合に障害通知Faultを発行してもよい。
【０１０７】
パス起動ノードの正常性確認部１３は、正常通知Healthまたは障害通知Faultを受信すると、監視光信号用光源２９に監視光信号Monの送出を止めるよう指示するとともに、終了通知Endをパス終端ノードに対して送信する。
【０１０８】
パス起動ノードは、正常通知Healthまたは障害通知Faultの受信により、パスの正常性を確認することができる。パス設定部１２およびネットワークの管理装置（図示せず）は、この結果を正常性確認部１３から受け取り、光パスが正常であったことが確認された場合は光パス正常性確認処理を終了し（図４、Ｓ４８）、光パスに障害が検出された場合はこの光パスを解放するか、新しく他の光パスを設定し直すなどの処理を行う（図５、Ｓ５３）。
【０１０９】
正常通知Healthに対する終了通知Endを受信したパス終端ノードは、先に遮断状態とした後段光スイッチ２７を、光パスが光出力端２８まで到達可能となるよう導通状態とする（図４および図５、Ｓ４９）。
【０１１０】
このように構成されたＯＸＣ装置によれば、光パス設定時に複数のノード間の伝送媒体上で実際に光パスが確立されたか否かを、パスの終端側の光出力端より先に監視光信号Monを漏洩することなく確認することが可能である。さらに監視光信号Monおよび制御信号をパス起動ノードとパス終端ノードの間にのみ送受信するようにしているので、簡便で高速な光パスの検査が可能となる。
【０１１１】
［上流方向パス確認］
この実施の形態１では、光パスがパス起動ノードからパス終端ノードの方向に設定された、単方向の下流方向パスについて説明したが、パス設定後の光パス正常性確認処理をパス終端ノードからパス起動ノードに向けて行うことにより、パス終端ノードからパス起動ノードの方向に設定された、上流方向パスについても同様にして確認することができる。
【０１１２】
すなわち、パス起動ノードからパス終端ノードまで光パス設定通知Pathを光パスに沿ったノード毎に順次伝搬させることで、パス起動ノードからパス終端ノードまでの各ノードにおいて光スイッチのパス設定を行うことにより光パス設定通知で指定された光パスを下流方向パス確認処理と同様にして行う。
【０１１３】
そして、光パスの形成後、パス終端ノードから検査通知Checkをパス起動ノードに発行するとともに、パス終端ノードで監視光信号Monを発生させて形成された光パス上に監視光信号を上流方向に送出する。パス起動ノードは、検査通知Checkの受信により監視光信号Monを監視して光パスの正常／障害発生を判断し、その判断結果を示す正常通知Healthまたは障害通知Faultを光ネットワークの管理装置に送信する。
【０１１４】
このようにして、上流方向パスの正常性の確認を行う。細かな手順は、上述した下流方向パス確認処理と各種制御信号の方向が逆である以外は同じである。また、上流方向パス確認の際は、前記光パス設定通知によるパス設定の際、パス起動ノードでは、上流側のノードに監視光信号が出力されないように光スイッチの設定を行うことで、パスの起動側の光出力端より上流側に監視光信号Monを漏洩することを防止する。
【０１１５】
なお、上記の説明では、障害が発生している場合、障害通知Faultをパス終端ノードからパス起動ノードに送出し、パス起動ノード経由でネットワークの管理装置に障害報告を行うようにしているが、パス終端ノードから直接ネットワークの管理装置に障害報告を行っても良い。
【０１１６】
実施の形態２．
次に、図１及び図２の他に図６乃至図８を参照してこの発明の実施の形態２を説明する。上記の実施の形態１では、パス設定時にパス起動ノードとパス終端ノードとの間で光パスの正常性を検査確認できるよう制御しているが、実施の形態２においては、隣接ノード間毎に伝送路の正常性を確認することによって光パスの正常性を検査確認するようにしている。監視光信号Monは、途中の伝送路で障害が発生したとき以外は、パス起動ノードで発生させている。
【０１１７】
［下流方向パス確認］
まず、下流方向パスの確認動作について説明する。図６は、実施の形態２において、光パスが正常に形成されている場合の、各ノード間の制御信号および監視光信号Monの通信を表すシーケンスである。パス起動ノードが光パスの設定を開始し、光パスの正常性確認を実行するまでは実施の形態１と同様の手順を行う。すなわち、パス起動ノードからの光パス設定通知Pathおよびこれに返答するパス終端ノードからのリソース確保通知Resvによって、パス起動ノード、中間ノードおよびパス終端ノードにおける光パスの設定が完了する。そして、この後、パス起動ノードは光ファイバ伝送路上に光パスが形成されているか否かを確認するために光パス正常性検査を開始する。
【０１１８】
まず、パス起動ノードの正常性確認部１３は、隣接ノードである中間ノード＃１に対して検査通知Checkを制御信号網１５を介して発行する（Ｓ６１）。なお、実施の形態１においては、検査通知Checkを中間ノードを介することなくパス終端ノードに発行している。
【０１１９】
検査通知Checkを受信した隣接ノード（中間ノード＃１）の正常性確認部１３は、後段信号監視部２６に監視光信号Monが正常に検出されているか否かを確認する（Ｓ６２）。もし監視光信号Monが正常に検出されているなら、隣接ノード（中間ノード＃１）の正常性確認部１３は、パス起動ノードと中間ノード＃１の間の区間は正常であると判断して、次の区間、すなわち中間ノード＃１から＃２までの区間が、正常であるか否かを調べるために、検査通知Checkを次ノードである中間ノード＃２に送信する（Ｓ６３）。さらに、中間ノード＃１の正常性確認部１３は前段のパス起動ノードに対して、検査通知Checkを受理し監視光信号Monを確認したことを伝える検出通知Okを発行する（Ｓ６４）。
【０１２０】
次に、中間ノード＃１の隣接ノードである中間ノード＃２においては、上記と同様の手順で、中間ノード＃１と中間ノード＃２の間の光パスの正常性を検査する。また、中間ノード＃３においても、同様の手順を実行する。このようにして、隣接する２つのノード間の光パスの正常性が順次検査されていく。
【０１２１】
パス終端ノードは、転送されてきた検査通知Checkに基づき光ファイバ伝送路上の監視光信号Monを上記と同様にして検査することによりパスの正常性を確認し、パス起動ノードに対して正常通知Healthを発行する（Ｓ６５）。
【０１２２】
この正常通知Healthを受信したパス起動ノードの正常性確認部１３は、監視光信号用光源２９に監視光信号Monの送出を停止するように命令し、パス設定部１２およびネットワークの管理装置にその結果を伝え、パス終端ノードに対し終了通知Endを発行して（Ｓ６６）、パス正常性確認を終了する。終了通知Endを受信したパス終端ノードは、先に遮断状態とした後段光スイッチ２７を、光パスが光出力端２８まで到達するよう導通状態とする（Ｓ６７）。
【０１２３】
つぎに、図７を参照して、設定する光パス、すなわち実際の光ファイバ伝送路上に障害がある場合の正常性確認処理のシーケンスを説明する。伝送路上に障害が存在する場合（Ｓ７２）、障害位置のすぐ後ろのノード（この場合中間ノード＃３）では、前段ノード（中間ノード＃２）からの検査通知Checkに基づき監視光信号Monの正常性確認処理を実行し、障害を検出する（Ｓ７３）。
【０１２４】
この障害検出ノード（中間ノード＃３）では、次ノード（この場合パス終端ノード）に対して検査通知Checkを発行するとともに、当該ノード＃３の監視光信号用光源２９を起動して当該ノード＃３から光パスの後方へ、すなわちパス終端ノードへ向けて監視光信号Monを送信する。
【０１２５】
また、障害検出ノード（中間ノード＃３）では、前段ノード（中間ノード＃２）へ非検出通知Nokを発行するとともに（Ｓ７４１）、パス起動ノードに対して障害通知Fault（Ｓ７４２）を発行する。なお、障害通知Faultを前段のノードに発行するようにしてもよい。
【０１２６】
発行される障害通知Faultには障害位置を示す障害位置情報が含まれている。また、次ノードに発行される検査通知Checkには障害位置情報を含ませるとともに、この検査通知Checkに含まれる監視光信号送出ノード情報（監視光信号をどのノードが送出しているかを識別するための情報）をパス起動ノードから自ノード＃３に書き換える。
【０１２７】
パス起動ノードは、障害通知Fault（Ｓ７４２）を受信した時点で監視光信号Monの送出を止め、これ以降パスの解放および代替え光パスの確立を開始する。
【０１２８】
検査通知Checkを受信した次段ノード（この場合パス終端ノード）は、障害検出ノードからの監視光信号Monを検出することで、上記の手順を繰り返し、隣接ノード間の正常性を確認して、光パスの検査を続行する。
【０１２９】
図６では単一障害の例を示したが、光パス上に複数の障害が生じ、第一の障害位置より後段に第二の新たな障害が検出された場合は、第二の障害検出ノードからパス起動ノードと第一の障害検出ノードに向けて障害通知Faultを送出する。第一の障害検出ノードでも、障害通知Faultを受けて監視光信号Monの送出を止める。さらに第二の障害検出ノードは、後段ノードに向けて送信する検査通知Check中の監視光信号送信ノード情報を第二の障害検出ノードに書き換え、さらに検査通知Check中に新たな障害検出位置を示す障害位置情報を追加するとともに、光パスの後方へ向けて監視光信号Monを送信する。以降、新たに障害が検出されるたびにこのような手順を繰り返す。
【０１３０】
検査通知Checkがパス終端ノードまで到達したら、パス終端ノードは、監視光信号Monを監視し、その監視結果および検査通知に含まれる障害発生位置情報に基づき光パス全体の正常／障害発生を判断し、障害が発生している場合は、その時点で監視光信号Monを送出しているノード（監視光信号送出ノード情報に基づき判定した中間ノード＃３）とパス起動ノードに対して障害通知Faultを発行する（Ｓ７５１，Ｓ７５２）。監視光信号送信ノード（中間ノード＃３）は障害通知Fault（Ｓ７５１）を受信すると、監視光信号Monの送信を停止する。
【０１３１】
パス起動ノードに対して送出する障害通知Fault（Ｓ７５２）には、検査通知Checkから得られる光パス上のどのノードまたはリンクが障害を起こしているかを示す障害位置情報を含める。障害通知Fault（Ｓ７５２）を受信したパス起動ノードは、実施の形態１と同様にパスを解放するか、新しくパスを再設定するなどの処理を実行する。このパスの再設定の際、障害通知Fault（Ｓ７５２）により得られた障害位置情報を利用することができる。パス起動ノードは終了通知Endをパス終端ノードに対して発行して正常性確認処理を終了する。
【０１３２】
この実施の形態２によれば、光パスが設定通りに確立されたか否かを確認することができるとともに、障害を検出したノードから直接障害通知Faultを受信することができるため、障害位置を認知することができ、高速な代替え光パスの作成、障害復旧が可能である。さらに障害位置を特定することができるため、この情報を利用してパス起動ノードは新しい光パスを設定時に、構成に失敗した光パスのうち障害を避けたリンク、ノードを利用することができ、効率のよいリソース配分が可能となる。また光パス上の二重障害を検出することも可能となる。
【０１３３】
なお、実施の形態２においても、障害を検出した各ノードあるいはパス終端ノードから直接ネットワークの管理装置に障害通知Faultを送信するようにしても良い。
【０１３４】
［上流方向パス確認］
上述した処理を逆方向に行うことで、パス終端ノードからパス起動ノードの方向に設定された、上流方向パスについても同様にして確認することができる。
【０１３５】
すなわち、パス起動ノードからパス終端ノードまで光パス設定通知Pathを光パスに沿ったノード毎に順次伝搬させることで、パス起動ノードからパス終端ノードまでの各ノードにおいて光スイッチのパス設定を行うことにより光パス設定通知で指定された光パスを下流方向パス確認処理と同様にして行う。
【０１３６】
そして、光パスの形成後、パス終端ノードは、監視光信号Monを発生させて形成された光パス上に監視光信号Monを送出するとともに、検査通知Checkを光パスに沿った隣接する上流側のノードに発行する。各中間ノードは、光パスに沿った隣接する下流側のノードからの検査通知Checkを受信すると、監視光信号Monを監視して光パスの正常／障害発生を判断し、障害発生の場合は障害発生位置情報を含む障害通知Faultをパス起動ノードまたは光ネットワークの管理装置に発行するとともに、光パスに沿った隣接する上流側のノードに対し障害発生の場合は障害発生位置情報を含む検査通知Checkを発行し、さらに障害発生時には自ノードで監視光信号Monを発生させて上流方向光パス上に監視光信号を送出する。パス起動ノードは、光パスに沿った隣接する下流側のノードからの検査通知Checkを受信すると、監視光信号Monを監視し、その監視結果および検査通知Checkに含まれる障害発生位置情報に基づき光パス全体の正常／障害発生を判断し、正常通知Healthまたは障害発生位置情報を含む障害通知Faultを光ネットワークの管理装置に送信する。
【０１３７】
このようにして、上流方向パスの正常性の確認を行う。細かな手順は、上述した下流方向パス確認処理と各種制御信号の方向が逆である以外は同じである。また、上流方向パス確認の際は、前記光パス設定通知によるパス設定の際、パス起動ノードでは、上流側のノードに監視光信号が出力されないように光スイッチの設定を行うことで、パスの起動側の光出力端より上流側に監視光信号Monを漏洩することを防止する。
【０１３８】
つぎに、図８を用いて光ファイバ伝送路の障害により制御信号網も同時に利用できなくなった場合の処理手順を説明する。
【０１３９】
図８では中間ノード＃２と中間ノード＃３の間の光ファイバ伝送路上に障害が生じている。この場合、光ファイバ伝送路上の監視光信号Monが障害により止められると同時に（Ｓ８１）、検査通知Checkも伝えることができなくなることがある（Ｓ８２）。
【０１４０】
なお、このような障害としては制御信号網が光ファイバ伝送路と同じファイバによって運ばれる場合のファイバカット障害や、制御信号をＳＯＮＥＴ／ＳＤＨ信号におけるオーバーヘッドを利用した場合の伝送路障害などが上げられる。
【０１４１】
中間ノード＃２は予め定められた時間だけ待機した後、後段ノードから検出通知Okまたは非検出通知Nokが送信されてこない場合、その旨を含めた障害通知Faultをパス起動ノードに対して送信する。
【０１４２】
障害通知Faultを受信したパス起動ノードは正常性確認を終了させる処理を行う。このようにして、光ファイバ伝送路と同時に制御信号網が障害を起こした場合についても障害を特定し回復することが可能である。
【０１４３】
なお、上記実施の形態２においては、後段信号監視部２６で、監視光信号を監視するようにしているが、前段信号監視部２４で監視光信号を監視するようにしてもよいし、前段及び後段の双方を用いて監視光信号を監視してもよい。前段及び後段の双方を用いて監視すると、両者の比較によりその間に存在する光スイッチ回路２５の障害を検出することができる。
【０１４４】
実施の形態３．
次に、図１及び図２の他に図９及び図１０を参照してこの発明の実施の形態３を説明する。この実施の形態３では、連続した３個のノード間を基本単位にして、１ノードずつ基本単位を順次ずらしながら伝送路の正常性を確認することで、光パス全体の正常性を確認している。すなわち、最初はパス起動ノード−中間ノード＃２間、つぎに中間ノード＃１−中間ノード＃３、つぎに中間ノード＃２−中間ノード＃４、つぎに中間ノード＃３−中間ノード＃５、…というように、連続した３個のノード間を基本単位にした確認処理を行っている。この実施の形態３においても、監視光信号Monは、途中の伝送路で障害が発生したとき以外は、パス起動ノードで発生させている。
【０１４５】
［下流方向パス確認］
まず、下流方向パスの確認動作について説明する。図９は、実施の形態３において、光パスが光ファイバ伝送路上に正常に形成されている場合の、各ノード間の制御信号および監視光信号Monの通信を表すシーケンスである。
【０１４６】
パス起動ノードが光パスの設定を開始し、光パスの正常性確認を実行するまでは実施の形態１と同様の手順を行う。すなわち、パス起動ノードからの光パス設定通知Pathおよびこれに返答するパス終端ノードからのリソース確保通知Resvによって、光パスの設定が完了する。そして、この後、パス起動ノードはパス正常性確認検査を開始する。
【０１４７】
まず、パス起動ノードの正常性確認部１３は、隣接ノードである中間ノード＃１に対して検査通知Checkを制御信号網１５を介して送信する。この検査通知Checkを受信した中間ノード＃１の正常性確認部１３は、この検査通知Checkを中間ノード＃２の正常性確認部１３に転送する（Ｓ９１）。
【０１４８】
検査通知Checkを受信した中間ノード＃２の正常性確認部１３は、前段信号監視部２４に監視光信号Monが正常に到達しているか否かを検査させ、もし監視光信号Monが正常に到達しているなら、監視光信号Monを受信したことを伝える検出通知Okを前段の中間ノード＃１に発行する（Ｓ９２）。これによりパス起動ノードから中間のノード＃２の間に存在する光ファイバ伝送路および中間ノード＃１の正常性を確認する。
【０１４９】
さらに中間ノード＃２は検査通知Checkを次ノードである中間ノード＃３に発行する。検査通知Checkを受信した中間ノード＃３は、前段信号監視部２４に監視光信号Monが正常に到達しているか否かを検査させ、もし監視光信号Monが正常に到達しているなら、監視光信号Monを受信したことを伝える検出通知Okを前段の中間ノード＃２に発行する。これにより中間ノード＃１から中間のノード＃３の間に存在する光ファイバ伝送路および中間ノード＃２の正常性を確認する。このような処理を連続３ノード間で順次実行していく。
【０１５０】
なお、各ノードにおいて、検査通知Checkを送信した後、予め設定された時間内に検出通知Okが後段ノードから送信されてこなければ、パス起動ノードに対して障害通知Faultを送信する。
【０１５１】
パス終端ノードは転送されてきた検査通知Checkと監視光信号Monにより光パス全体の正常性を確認し、パス起動ノードに対して正常通知Healthを発行する（Ｓ９３）。それを受信したパス起動ノードは、監視光信号Monを停止し、パス終端ノードに対し終了通知Endを発行してパス正常性確認を終了させる（Ｓ９４）。終了通知Endを受信したパス終端ノードはスイッチ制御部１１を制御して、光パスを光出力端と接続する（Ｓ９５）。例えば、後段光スイッチ２７を宛て先に対応する光出力端２８に接続するよう設定する。
【０１５２】
図１０は、実施の形態３において、光パスの物理媒体上に障害がある場合のシーケンスである。中間ノード＃１と中間ノード＃２の間の伝送路上に障害があるとする（Ｓ１０１）。障害箇所の後段ノード（中間ノード＃２）の正常性確認部１３では、前段ノード（中間ノード＃１）からの検査通知Checkに基づき監視光信号Monの正常性確認処理を実行し、障害を検出する。障害検出ノード（中間ノード＃２）の正常性確認部１３は、前段ノード（中間ノード＃１）に対して非検出通知Nokを発行し、パス起動ノードに対して障害通知Faultを発行し、後段のノード（中間ノード＃３）に対して検査通知Checkを発行する（Ｓ１０２）。
【０１５３】
この検査通知Checkには、障害位置情報を含ませるとともに、監視光信号送出ノード情報（監視光信号をどのノードが送出しているかを識別するための情報）を含ませる。監視光信号送出ノード情報は、障害を検出したときは、障害検出ノード（この場合は中間ノード＃２）の前段のノード（この場合は中間ノード＃１）を監視光信号送出ノードとして更新する。したがって、中間ノード＃３に送られる検査通知Check内の監視光信号送出ノード情報は、この場合中間ノード＃１となる。
【０１５４】
障害通知Faultを受信したパス起動ノードは監視光信号Monの送出を止める。この時点で新たに代替えパスを設定することが可能である（Ｓ１０３）。
【０１５５】
非検出通知Nokを受信した前段ノード（中間ノード＃１）は、当該ノード＃１の監視光信号用光源２９を起動して当該ノード＃１から光パスの後方へ、すなわちパス終端ノードへ向けて監視光信号Monを送信する（Ｓ１０４）。
【０１５６】
一方、検査通知Checkを受信した後段ノードは（中間ノード＃３）の正常性確認部１３では、監視光信号Monの正常性確認処理を実行する。この時、図１０に示した例では、ノード＃１とノード＃２間の伝送路障害であるので新たにノード＃１から送出された監視光信号Monはノード＃３において検出されない。したがって、中間ノード＃３は、パス起動ノードと、検査通知Check内の監視光信号送出ノード情報によって識別した前々段のノード（中間ノード＃１）に障害通知Faultを発行し、非検出通知Nokを前段のノード（中間ノード＃２）に発行する。さらに、検査通知Check内の監視光信号送出ノード情報を前段の中間ノード＃２に書き換えて、次ノード（この場合はパス終端ノード）へ発行する。
【０１５７】
障害通知Faultを受信した前々段のノード（中間ノード＃１）は、この障害通知Faultの受信によって監視光信号Monを止める。
【０１５８】
一方、非検出通知Nokを受信した前段のノード（中間ノード＃２）は、この非検出通知Nokの受信によって自ノード＃２の監視光信号用光源２９を起動して自ノード＃２から監視光信号Monを後段に向けて新たに送出する。この監視光信号Monは、２段後方のノード（この場合はパス終端ノード）以降がその監視光信号Monを監視する。
【０１５９】
第一の障害位置より後段に第二の新たな障害が検出された場合は、第二の障害検出ノードからパス起動ノードとその時点で監視光信号Monを送出しているノードに向けて障害通知Faultを送出する。監視光信号を送出しているノードはこの障害通知Faultを受けて監視光信号Monの送出を止める。さらに、第二の障害検出ノードは、後段ノードに向けて検査通知Checkを発行し、前段ノードに対して非検出通知Nokを発行する。この非検出通知Nokにより前段ノードは監視光信号Monを新たに送出する。以降、新たに障害が検出されるたびに上記手順を繰り返す。
【０１６０】
検査通知Checkがパス終端ノードまで到達したら（Ｓ１０５）、パス終端ノードは、監視光信号Monを監視し、その監視結果および検査通知に含まれる障害発生位置情報に基づき光パス全体の正常／障害発生を判断し、障害が発生している場合は、その時点で監視光信号Monを送出しているノード（中間ノード＃２）と（Ｓ１０６１）、パス起動ノードに対して障害通知Fault（Ｓ１０６２）を発行する。監視光信号送信ノード（中間ノード＃３）は障害通知Fault（Ｓ１０６１）を受信すると、監視光信号Monの送出を止める。
【０１６１】
障害通知Faultには（Ｓ１０６２）、光パス上のどのノードまたはリンク（伝送路）が障害を起こしているかを識別させる情報を含める。パス起動ノードは、終了通知Endをパス終端ノードに対して発行し、実施の形態１と同様に、パスを解放するかパスを再設定する。この時、障害通知Fault（Ｓ１０６２）により特定された障害情報を利用することができる。
【０１６２】
なお、光ファイバ伝送路の障害により制御信号網も同時に利用できなくなった場合には、実施の形態２と同様にすれば、パスの正常性を確認することができる。
【０１６３】
［上流方向パス確認］
上述した処理を逆方向に行うことで、パス終端ノードからパス起動ノードの方向に設定された、上流方向パスについても同様にして確認することができる。
【０１６４】
すなわち、パス起動ノードからパス終端ノードまで光パス設定通知Pathを光パスに沿ったノード毎に順次伝搬させることで、パス起動ノードからパス終端ノードまでの各ノードにおいて光スイッチのパス設定を行うことにより光パス設定通知で指定された光パスを下流方向パス確認処理と同様にして行う。
【０１６５】
そして、光パスの形成後、パス終端ノードは、監視光信号Monを発生させて形成された光パス上に監視光信号を送出するとともに、検査通知Checkを光パスに沿った隣接する上流側のノードに発行する。各中間ノードは、光パスに沿った隣接する下流側のノードからの検査通知Checkを受信すると、監視光信号Monを監視して光パスの正常／障害発生を判断し、障害発生の場合は非検出通知Nokを隣接する下流側のノードに発行するとともに障害発生位置情報を含む障害通知Faultをパス起動ノードまたは光ネットワークの管理装置に発行し、光パスに沿った隣接する上流側のノードに対し障害発生の場合は障害発生位置情報を含む検査通知Checkを発行し、さらに隣接する上流側のノードから非検出通知Nokを受信すると自ノードで監視光信号Monを発生させて上流方向光パス上に監視光信号Monを送出する。パス起動ノードは、光パスに沿った隣接する下流側のノードからの検査通知Checkを受信すると、監視光信号Monを監視し、その監視結果および検査通知Checkに含まれる障害発生位置情報に基づき光パス全体の正常／障害発生を判断し、正常通知Healthまたは障害発生位置情報を含む障害通知Faultを光ネットワークの管理装置に送信する。
【０１６６】
このようにして、上流方向パスの正常性の確認を行う。細かな手順は、上述した下流方向パス確認処理と各種制御信号の方向が逆である以外は同じである。また、上流方向パス確認の際は、前記光パス設定通知によるパス設定の際、パス起動ノードでは、上流側のノードに監視光信号が出力されないように光スイッチの設定を行うことで、パスの起動側の光出力端より上流側に監視光信号Monを漏洩することを防止する。
【０１６７】
このように実施の形態３による光パス正常性確認法によれば、連続した３個のノード間を基本単位にして、１ノードずつ基本単位を順次ずらしながら伝送路の正常性を確認しているので、実施の形態２と同様の効果が得られるとともに、１回の検査処理でノードとその光入力端側で選択されたリンクおよびその光出力端側で選択されたリンクを合せて正常性を確認することができ、より信頼性の高い正常性確認処理をなし得る。
【０１６８】
なお、上記実施の形態３においては、前段信号監視部２４で、監視光信号を監視するようにしているが、後段信号監視部２６で監視光信号を監視するようにしてもよいし、前段及び後段の双方を用いて監視光信号を監視してもよい。
【０１６９】
また、実施の形態３においても、障害を検出した各ノードあるいはパス終端ノードから直接ネットワークの管理装置に障害通知Faultを送信するようにしても良い。
【０１７０】
実施の形態４．
以上の実施の形態１〜３は、パス設定時に光パスの正常性を検査するものであるが、既に設定されているパスが未使用で、光信号が流れていない時にも、上記の実施の形態１〜３を適用することで容易にパスの正常性を確認することができる。
【０１７１】
さらに設定されるパスの長さ、パスを設定するネットワークの形態に応じて実施の形態１から３記載のパス正常性確認法の中から選択することにより、より速い障害特定および復旧が可能となる。
【０１７２】
実施の形態５
つぎに、図１及び図２の他に図１１〜図１８を参照してこの発明の実施の形態５を説明する。実施の形態１〜３はパス設定終了後にパス全体で正常性確認を行うものであるが、この実施の形態５では、パス設定と同時にリンク毎にパスの正常性を検査するようにしている。この実施の形態５においては、監視光信号Monは、下流方向パスの場合は、パス起動ノードおよび各中間ノードで発生させ、上流方向パスの場合は、パス終端ノードおよび各中間ノードで発生させている。
【０１７３】
［上流方向パス手順］
まず、図１１〜図１４を用いて上流方向パスの場合のシーケンスについて説明する。図１１はパス正常性確認動作を示すシーケンスであり、図１２はパス起動ノードの動作を示すフローチャート、図１３は中間ノードの動作を示すフローチャート、図１４はパス終端ノードの動作を示すフローチャートである。
【０１７４】
パス起動ノードはパス設定開始と共にパス正常性確認を開始する。パス起動ノードは、光パス設定通知Pathを送信した後、使用する光入力端２１を決定し、光スイッチ回路２５を方路設定する（Ｓ１２１）。
【０１７５】
一方、前段ノード（パス起動ノード）から光パス設定通知Pathを受信した中間ノード（＃１）は、この光パス設定通知Pathを後段のノード（中間ノード＃２）に転送し、さらに光スイッチ回路２５を方路設定する（Ｓ１３１）。また、中間ノード（＃１）は、光スイッチ回路２５を通して監視光信号Monを前段ノード（＃１）に向けて送出し（Ｓ１３２）、検査通知Checkを前段ノード（＃１）に送信する（Ｓ１３３）。
【０１７６】
パス起動ノードは、中間ノード＃１からの検査通知Checkを受信し（Ｓ１２２）、中間ノード＃１から送出している監視光信号Monを光入力端２１側の前段信号監視部２４で監視する（Ｓ１２３）。監視光信号Monを正常に受信している場合は、中間ノード＃１に向けて検出通知Okを送信する（Ｓ１２４）。自ノード（パス起動ノード）もしくは光ファイバ伝送路上に障害が発生しており、監視光信号Monを正常に受信していない場合は、非検出通知Nokを中間ノード＃１に送信し（Ｓ１２５）、障害発生をネットワークの管理装置へ通知する（Ｓ１２６）。
【０１７７】
非検出通知Nokには、障害を検出したノードの識別番号を付加して、送信する。また、これ以降、後段側の各ノードで生成される検出通知Okおよび非検出通知Nokに、障害を検出する毎に障害検出ノード番号を付加していき伝搬させる。
【０１７８】
中間ノード＃１は、前段ノード（パス起動ノード）から検出通知Okか非検出通知Nokを受信したら（Ｓ１３４）、監視光信号Monを停止する（Ｓ１３５）。受信した通知が検出通知Okであるならば（Ｓ１３６）、光ファイバ伝送路は正常であると判定し、非検出通知Nokであった場合は前段ノード（パス起動ノード）と自ノード（＃１）の間に障害が発生しているとして、障害通知Faultを前段ノード（パス起動ノード）に向けて送信する（Ｓ１３７）。この時送信される障害通知Faultにはどの位置で障害が生じたかについての情報を付加する。
【０１７９】
中間ノード＃１は、この時、後段ノード（中間ノード＃２）から検査通知Checkを受信してる場合は（Ｓ１３８）、監視光信号Monを前記と同様にして監視し（Ｓ１３９）、監視光信号Monが正常に検出された場合は、検出通知Okを後段ノード（中間ノード＃２）に対して送信する（Ｓ１３１０）。監視光信号Monを正常に検出しなかった場合は、非検出通知Nokを後段ノード（中間ノード＃２）に対して送信し（Ｓ１３１１）、さらにパス起動ノードまたはネットワークの管理装置に障害通知Faultを送信する（Ｓ１３１２）。
【０１８０】
また、中間ノード＃１は、ステップＳ１３８で検査通知Checkを受信しなかった場合は、所定時間待機した後（Ｓ１３１３）、再度検査通知Checkの受信をチェックし、これで検査通知Checkを受信した場合は（Ｓ１３１４）、ステップＳ１３９以下の手順を実行する。しかし、これでも受信されなかった場合は、制御信号網１５に異常が発生したと判断して、障害通知Faultをパス起動ノードに向けて送信し（Ｓ１３１５）、正常性確認を終了する。
【０１８１】
以上のようにして、各中間ノード＃１、＃２、＃３において、パス正常性確認をパス終端ノードに至るまで繰り返していく。図１１に示されるシーケンスでは、中間ノード＃２と中間ノード＃３の間の光ファイバ伝送路上に障害が発生した場合の例が示されている。
【０１８２】
上記手順によれば、中間ノードの監視光信号挿入部２３から前段ノードの前段信号監視部２４までの正常性が検査されることになる。ここで、光ファイバ伝送路上の障害とノード内の障害を識別するために、光スイッチ回路２５および後段光スイッチ２７が正常に方路設定され、監視光信号Monが前段ノードに対して確実に送出されたことを確認した後、検査通知Checkを送信してもよい。これは例えば後段光スイッチ２７の後段に光信号監視部を新たに設けることで実現できる。
【０１８３】
つぎに、光パス設定通知Pathを受信したパス終端ノードでは、光スイッチ設定（Ｓ１４１）から監視光信号停止処理（Ｓ１４５）までは、上記の中間ノードのＳ１３１〜Ｓ１３５と同様の動作をする。
【０１８４】
次に、パス終端ノードでは、伝達されてきた検出通知Okもしくは非検出通知Nokに基づき、前段ノードと自ノードの間に障害があるかを判定し、また検出通知Okもしくは非検出通知Nokに途中の障害情報を含めているなら光パス上に障害があるかを判定し（Ｓ１４６）、正常なら正常通知Healthを（Ｓ１４７）、障害があるなら障害通知Faultを（Ｓ１４８）パス起動ノードに対して送信する。
【０１８５】
一方、パス起動ノードは、中間ノードもしくはパス終端ノードからの通知を受信するとそれが正常通知Healthであるかどうかを判定する（Ｓ１２８）。障害通知Faultである場合は、ネットワークの管理装置へ通知し（Ｓ１２９）、パス終端ノードからの通知でない場合は（Ｓ１２１０）、ステップＳ１２７へ戻る。パス終端ノードからの障害通知Faultであるならば、終了通知Endをパス終端ノードに送信する（Ｓ１２１１）。パス終端ノードから正常通知Healthを受信した場合はパス設定が成功したことを、ネットワークの管理装置へ通達し（Ｓ１２１２）、終了通知Endをパス終端ノードに送信する（Ｓ１２１１）。この終了通知Endをパス終端ノードが受信し（Ｓ１４９）、光パス正常性確認が終了する。
【０１８６】
［下流方向パス手順］
つぎに、図１５〜図１８を用いて下流方向パスの場合のシーケンスについて説明する。但し上流方向パスの正常性確認の場合のシーケンスと同様な部分は省略する。図１５はパス正常性確認動作を示すシーケンスであり、図１６はパス起動ノードの動作を示すフローチャート、図１７は中間ノードの動作を示すフローチャート、図１８はパス終端ノードの動作を示すフローチャートである。
【０１８７】
パス起動ノードは、光パス設定通知Pathを送信して光スイッチ回路２５を設定した後（Ｓ１６１）、パス正常性確認処理を開始する。パス起動ノードは、監視光信号Monを後段ノード（中間ノード＃１）に送出し（Ｓ１６２）、検査通知Checkを送信する（Ｓ１６３）。後段ノードから検出通知Oｋもしくは非検出通知Nokを受信したら（Ｓ１６４）、監視光信号Monの送出を止め（Ｓ１６５）、非検出通知Nokを受信した場合は（Ｓ１６６）、ネットワークの管理装置へ通知する（Ｓ１６７）。以降は上流方向パスにおけるパス正常性確認と同じ手順を行う（Ｓ１６８〜Ｓ１６１３）。
【０１８８】
次に中間ノードの光パス正常性確認の動作を説明する。前段ノードから光パス設定通知Pathを受信した中間ノードは、光スイッチを設定し（Ｓ１７１）、前段ノードから検査通知Checkを受信する（Ｓ１７２）。この時、信号監視部２６及び／または２４により前段ノードからの監視光信号Monを監視し（Ｓ１７３）、正常に検出すれば前段ノードに対して検出通知Okを（Ｓ１７４）、検出しなければ非検出通知Nokを前段ノードに向けて送出し（Ｓ１７５）、さらに管理装置およびパス起動ノードに対して障害通知Faultを送信する（Ｓ１７６）。
【０１８９】
次に、中間ノードは、後段ノードに対して監視光信号Monを送出し（Ｓ１７７）、検査通知Checkを送信する（Ｓ１７８）。この検査通知Checkには、障害発生の場合は障害発生位置情報を含ませる。後段ノードから検出通知Okか非検出通知Nokを受信したら（Ｓ１７９）、監視光信号Monを停止する（Ｓ１７１０）。受信した通知が検出通知Okであるならば（Ｓ１７１４）、光ファイバ伝送路は正常であると判定し、非検出通知Nokであった場合は後段ノードと自ノードの間に障害が発生しているとして障害通知Faultをパス起動ノードに向けて送信し（Ｓ１７１５）、このノードでの光パス正常性確認を終了する。また、検査通知Check（Ｓ１７８）を送信してから、所定時間待機後（Ｓ１７１１）、検出通知Okか非検出通知Nokを受信しない場合（Ｓ１７１２）は、制御信号網１５が異常であるとして障害通知Faultを送信する（Ｓ１７１３）。所定時間待機後（Ｓ１７１１）、検出通知Okか非検出通知Nokを受信した場合は、Ｓ１７１０に手順を移行させる。
【０１９０】
上記手順によれば、中間ノードの監視光信号挿入部から後段ノードの信号監視部２６及び／または２４までの正常性が検査されることになる。
【０１９１】
上記の中間ノードにおけるパス正常性確認をパス終端ノードに至るまで繰り返していく。図１５に示されるシーケンスでは中間ノード＃２と中間ノード＃３の間に光ファイバ伝送路上に障害が発生した場合の例が示されている。
【０１９２】
パス終端ノードは、光パス設定通知Pathを受信後、光スイッチ回路２５を設定し（Ｓ１８１）、検査通知Checkを受信し（Ｓ１８２）、監視光信号Monを監視する（Ｓ１８３）。そして、正常に検出されれば検出通知Okを前段ノードに対して送信し（Ｓ１８４）、検出されなければ非検出通知Nokを前段ノードに対して（Ｓ１８５）、さらにパス起動ノードに対して障害通知Faultを送信する（Ｓ１８６）。
【０１９３】
つぎに、パス終端ノードでは、伝達されてきた検査通知Checkに基づき途中の光パス上に障害があるかを判定し（Ｓ１８７）、正常なら正常通知Healthを（Ｓ１８８）、障害があるなら障害通知Faultを（Ｓ１８１０）パス起動ノードに対して送信する。そして、パス起動ノードから終了通知Endを受信すると、処理を終了する（Ｓ１８９）。
【０１９４】
この実施の形態５によれば、光パスを構成する各ノードが光パス設定通知の受信と同時に光パス正常性確認処理を各ノード、各光ファイバ伝送路毎に実行するようにしたので、光ファイバ伝送路上の障害を光パスの設定時にすぐに検出し、管理装置へ通知し新たな代替え光パスを用意することが可能である。さらに障害検出ノードが自ノード内の光スイッチとその光出力端につながる光ファイバ伝送路の障害を特定することができるので、各ノードにおいて光スイッチの方路設定を変更したり、代替え光ファイバ伝送路を用意したりして、高速に障害から復旧することができる。また上流方向への信号、下流方向への信号のどちらに対しても正常性確認を適用することができる。
【０１９５】
なお、実施の形態５においても、障害を検出した各ノードあるいはパス終端ノードから直接ネットワークの管理装置に障害通知Faultを送信するようにしても良い。
【０１９６】
実施の形態６．
次に、図１９〜図２４を参照してこの発明の実施の形態６を説明する。以上の実施の形態１〜５においては、現用光パスについての正常性確認を確認している。実施の形態６においては、信号が複製された１＋１プロテクションパスと呼ばれる、予備用光パスを有する光パスを設定する場合に正常性を確認することができる光パス設定方法を提供する。
【０１９７】
図１９は本実施の形態６の光パス設定法により制御することが可能なＯＸＣ１のＯＸＣ光信号伝送部２０の構成例を示すものである。この実施の形態６のＯＸＣ１のＯＸＣ光信号伝送部２０においては、第一光スイッチ回路２５−１および第二光スイッチ回路２５−２を備えている。第一光スイッチ回路２５−１の前後には、前段信号監視部２４−１，後段信号監視部２６−１が配されている。第二光スイッチ回路２５−２の前後には、前段信号監視部２４−２，後段信号監視部２６−２が配されている。また、光挿入分岐部３１により光ファイバ伝送路に監視光信号用光源２９からの監視光信号Monを挿入し、光信号を第一光スイッチ回路２５−１と第二光スイッチ回路２５−２に分岐する。また、後段光スイッチ３２は、第一光スイッチ回路２５−１もしくは第二光スイッチ回路２５−２のどちらかの出力を選択することができる。これ以外の構成要素については、図２に示されるものと同じ機能を達成する。また、この実施の形態６のＯＸＣ１は、図１に示したように、スイッチ制御部１１、パス設定部１２、正常性確認部１３を備えたＯＸＣ制御部１０を備えている。
【０１９８】
図２０は、図１９に示したＯＸＣ１によりパス起動ノードＸ及びパス終端ノードＹが構成される伝送システムの構成を示す図である。２つのノードすなわちパス起動ノードＸとパス終端ノードＹとの間が、パス終端ノードＹの光入力端Ｐ１−Ｙ１に接続された現用光ファイバ伝送路Ｐと、パス終端ノードＹの光入力端Ｐ１−Ｙ４に接続された予備光ファイバ伝送路Ｑにより接続されている。
【０１９９】
パス起動ノードＸは、光スイッチに関しては、第一光スイッチ回路ＭＳＷ−Ａ１と第二光スイッチ回路ＭＳＷ−Ａならびに後段光スイッチＳＷを備えている。パス終端ノードＹは、光スイッチに関しては、光スイッチ回路ＭＳＷ−Ｂ１と後段光スイッチを持つものとする。勿論、パス終端ノードＹにおいても、パス起動ノードと同様、第二光スイッチ回路を有してもよいが、実施の形態６における動作とは関係ないので、図示を省略している。
【０２００】
この光伝送システムに、パス起動ノードＸの光入力端Ｐ１−Ｘ１からノードＹの光出力端ＰＯ−Ｘ１まで、現用パスと、その信号が複製された予備用光パスを設定する。
【０２０１】
つぎに、図２１および図２２を用いて実施の形態６における詳細な動作について説明する。図２１および図２２はそれぞれ本実施の形態６の現用光パスと予備用光パスの設定方法を示すフローチャートである。
【０２０２】
まず、現用光パスの設定から開始する。パス起動ノードＸがパス設定処理を開始し、光パス設定通知Pathを現用光パスを構成するノードに向けて送信する（Ｓ２１１）。
【０２０３】
光パス設定通知Pathを受信した中間ノードは光パスが実際に光ファイバ伝送路上で形成されるように、自ノードの光スイッチを設定し、光パス設定通知Pathを光パスを構成する次のノードに対して転送する（Ｓ２１２）。その後、パス終端ノードＹが光パス設定通知Pathを受信する（Ｓ２１３）。
【０２０４】
パス終端ノードＹは光スイッチ回路ＭＳＷ−Ｂ１を光入力端Ｐ１−Ｙ１から光出力端ＰＯ−Ｘ１まで導通するよう方路設定し（Ｓ２１４）、後段光スイッチＳＷ−Ｙ１を光スイッチ回路ＭＳＷ−Ｂ１からの信号を遮断するように設定する（Ｓ２１５）。次に、パス終端ノードＹはパス起動ノードＸに向けてリソース確保通知Resvを送信する（Ｓ２１６）。
【０２０５】
パス起動ノードＸはリソース確保通知Resvを受信し（Ｓ２１７）、第一光スイッチ回路ＭＳＷ−Ａ１を光ファイバ入力端Ｐ１−Ｘ１から後段光スイッチＳＷ−Ｘ１に（Ｓ２１８）導通するように設定するとともに、後段光スイッチＳＷ−Ｘ１を現用光ファイバ伝送路Ｐに導通するよう設定する（Ｓ２１９）。
【０２０６】
つぎに、パス起動ノードＸが光外部入力端ＰＥ−Ｘ１より監視光信号Monを送出する（Ｓ２１１０）。この監視光信号Monは、設定されたパスを経由してパス終端ノードＹに入力される。この監視光信号Monを用いて、前述した実施の形態１〜３の何れかの光パス監視方法を用い、光パスの正常性を確認する。
【０２０７】
図２３にこの時の伝送システム内の状態を示す。図２３において、太線が監視光信号用光源からの監視光信号Monの導通部分を示している。光パスの正常性の確認結果を用いて、現用光パスの設定が成功していれば予備パスの設定を開始し、失敗していれば、ネットワークの管理装置もしくはパス設定部１２に通知して新たなパスを設定し直し、光パスを復旧することが可能である。
【０２０８】
現用パスの正常性が確認されると、図２２のフローチャートに示される予備用光パスの設定を開始する。パス起動ノードＸは光パス設定通知Pathを、パス終端ノードＹに向けて送信する（Ｓ２２１）。光パス設定通知Pathを転送する中間ノードの動作は、現用光パス設定時と同様であり、光パスが実際に光ファイバ伝送路上で形成されるように、自ノードの光スイッチを設定し、光パス設定通知Pathを光パスを構成する次のノードに対して転送する（Ｓ２２２）。光パス設定通知Pathを受信したパス終端ノードＹは、光スイッチ回路ＭＳＷ−Ｂ１，ＳＷ−Ｙ１の設定を変更せずに（Ｓ２２３）、ノードＸに向けてリソース確保通知Resvを送信する（Ｓ２２４）。
【０２０９】
リソース確保通知Resvを受信したパス起動ノードＸ（Ｓ２２５）は、光挿入分岐部で複製される光入力端Ｐ１−Ｘ１からの信号光と後段光スイッチＳＷ−Ｘ４が接続されるように第二光スイッチ回路ＭＳＷ−Ａ２を設定するとともに（Ｓ２２６）、第二光スイッチ回路ＭＳＷ−Ａ２と予備光ファイバ伝送路Ｑとが接続されるように後段光スイッチＳＷ−４を設定する（Ｓ２２７）。
【０２１０】
次に、パス起動ノードＸは、光外部入力端ＰＥ−Ｘ１より監視光信号Monを送出する（Ｓ２２８）。この監視光信号Monをパス終端ノードＹの前段信号監視部ＭＯＮ―Ｙ４で監視することによって予備光パスの正常性を確認する（Ｓ２２９）。
【０２１１】
図２４にこの時の伝送システム内の状態を示す。予備光パスの正常性確認結果を用いて、現用光パス設定時と同様に、予備用光パスの設定が成功していれば予備用パス設定処理を終了し、失敗すれば光パス設定処理を中断し、ネットワークの管理装置もしくはパス設定部１２に通知して新たなパスを設定し復旧する。
【０２１２】
このように実施の形態６によれば、信号が複製された予備用光パスを有する光パスを設定する場合に、パス終端ノードの光スイッチ回路をパス設定時に方路設定し、パス終端ノードの光スイッチ回路の前段信号監視部によって予備用光パス設定時の監視を実行するようにしたので、方路設定された現用光パスをそのままの状態に保持したまま、予備用光パスの監視を実行できることとなり、これにより予備用光パスを検査している状態で実際の現用パス運用を開始することができる。
【０２１３】
なお、図２０に示す伝送システム例においては、４×４の光スイッチ回路を持つＯＸＣを示したが、任意数の複数ポートを持つＭ×Ｎの光スイッチ回路にも適用可能である。
【０２１４】
また、上述の説明では、下流方向パスにおけるパス設定例を示したが、パス起動ノードにおける光スイッチ操作とパス終端ノードにおける光スイッチ操作を入れ替え、監視信号Monを上流方向に流すことにより、上流方向パスにおける光パス設定にも適用可能である。
【０２１５】
実施の形態７．
次に、図２５〜図２７を参照してこの発明の実施の形態７を説明する。先の実施の形態６は現用信号を複製した予備用光パスを設定するパス設定方法に関するものであるが、実施の形態７においては、複数の現用パスを保守する複数の予備パスを設定する一般にＭ：Ｎプロテクションと呼ばれる方法によりパスを設定する場合の正常性を確認することができる光パス設定方法を提供する。この実施の形態７においては、先に予備用光パスを設定して、その後で現用光パスを設定するようにしている。
【０２１６】
この実施の形態７の光パス設定法によれば、図１９に示した第一及び第二光スイッチ回路２５−１，２５−２を有するＯＸＣに適用することができる。ただし実施の形態７は第二光スイッチ回路がないＯＸＣによっても実現することが可能であるので、第二光スイッチ回路がないＯＸＣを用いてその詳細を説明する。
【０２１７】
図２５は実施の形態７の光パス設定法を適用するＯＸＣにより構成される伝送システムの構成を示す図である。
【０２１８】
２つのノードすなわちパス起動ノードＸとパス終端ノードＹとの間が、パス終端ノードＹの光入力端Ｐ１−Ｙ１に接続された現用光ファイバ伝送路Ｐと、パス終端ノードＹの光入力端Ｐ１−Ｙ４に接続された予備光ファイバ伝送路Ｑにより接続されている。
【０２１９】
パス起動ノードＸは光スイッチ回路ＭＳＷ−Ａ１および後段光スイッチを持ち、パス終端ノードＹは光スイッチ回路ＭＳＷ−Ｂ１と後段光スイッチを持つものとする。
【０２２０】
次に図２６及び図２７を用いて実施の形態７における詳細な動作について説明する。図２６および図２７はそれぞれ実施の形態７の現用光パスと予備用光パスの設定方法を示すフローチャートである。なお、以下の説明では、光伝送システムにノードＸの光入力端Ｐ１−Ｘ１からノードＹの光出力端ＰＯ−Ｘ１までに現用光パスを設定する。さらに障害発生時に、光スイッチ回路ＭＳＷ−Ａ１により、現用光パスからの信号を切替えることができる予備用光パスも設定するものとする。
【０２２１】
まず予備用光パスの設定から開始する。図２６に示されるように、パス起動ノードＸがパス設定処理を開始し、光パス設定通知Pathを予備用光パスを構成するノードに向けて送信する（Ｓ２６１）。光パス設定通知Pathを受信した中間ノードは光パスが実際に光ファイバ伝送路上で形成されるように、自ノードの光スイッチを設定し、光パス設定通知Pathを光パスを構成する次のノードに対して転送する（Ｓ２６２）。その後、パス終端ノードＹが光パス設定通知Pathを受信する（Ｓ２６３）。
【０２２２】
パス終端ノードＹは、光スイッチ回路ＭＳＷ−Ｂ１を光入力端Ｐ１−Ｙ４から光出力端ＰＯ−Ｘ１まで接続するよう設定し（Ｓ２６４）、後段光スイッチＳＷ−Ｙ１を光スイッチ回路ＭＳＷ−Ｂ１からの信号を遮断するように設定する（Ｓ２６５）。次にパス終端ノードＹはパス起動ノードＸに向けてリソース確保通知Resvを送信する（Ｓ２６６）。
【０２２３】
パス起動ノードＸはリソース確保通知Resvを受信すると（Ｓ２６７）、光スイッチ回路ＭＳＷ−Ａ１を光入力端Ｐ１−Ｘ１から後段光スイッチＳＷ−Ｘ４に導通するよう設定するとともに（Ｓ２６８）、後段光スイッチＳＷ−Ｘ４を予備光ファイバ伝送路Ｑに導通するよう設定する（Ｓ２６９）。
【０２２４】
パス起動ノードＸが光外部入力端ＰＥ−Ｘ１より監視光信号Monを送出し（Ｓ２６１０）、パス終端ノードＹの後段信号監視部ＭＯＮ―Ｙ５によって監視することによって光パスの正常性を確認する（Ｓ２６１１）。この確認結果を用い、予備用光パスの設定が成功していれば、現用光パスの設定を開始し、失敗すれば光パス設定処理を中断し、ネットワークの管理装置もしくはパス設定部１２に通知して復旧処理を開始する。この時新たな予備用パスを設定し直すなどの復旧方法をとることが可能である。
【０２２５】
予備用光パスの正常性が確認できた後、図２７に示される現用光パスの設定を開始する。パス起動ノードＸは光パス設定通知Pathを、現用光パスを構成するノードに向けて送信する（Ｓ２７１）。中間ノードの動作は、予備用光パス設定時と同様である。光パス設定通知Pathを受信したパス終端ノードＹは、光スイッチ回路ＭＳＷ−Ｂ１を光入力端Ｐ１−Ｙ１から光出力端ＰＯ−Ｘ１まで接続するよう設定し（Ｓ２７２）、後段光スイッチＳＷ−Ｙ１を光スイッチ回路ＭＳＷ−Ｂ１からの信号を遮断するように設定する（Ｓ２７３）。そして、パス終端ノードＹは、ノードＸに向けてリソース確保通知Resvを送信する（Ｓ２７４）。
【０２２６】
リソース確保通知Resvを受信したパス起動ノードＸは（Ｓ２７５）、光入力端Ｐ１−Ｘ１からの信号光と後段光スイッチＳＷ−１が接続されるように光スイッチ回路ＭＳＷ−Ａ１を設定するとともに（Ｓ２７６）、後段光スイッチＳＷ−１を光スイッチ回路ＭＳＷ−Ａ１と現用光ファイバ伝送路Ｐとが接続されるように設定する（Ｓ２７７）。
【０２２７】
次に、パス起動ノードＸが光外部入力端ＰＥ−Ｘ１より監視光信号Monを送出し（Ｓ２７８）、パス終端ノードＹの後段信号監視部ＭＯＮ―Ｙ５によって監視し（Ｓ２７９）、実施の形態１〜３の何れかに示した光パス監視方法に基づいて光パスの正常性を確認する。
【０２２８】
この正常性の確認結果により現用光パスの設定が成功していれば、パス設定処理を終了し、失敗すれば光パス設定処理を中断し、ネットワークの管理装置もしくはパス設定部１２に通知して復旧処理を開始する。この時新たなパスを設定し直すなどの復旧方法をとることが可能である。
【０２２９】
この実施の形態７によれば、先に予備用光パスを設定してからその後で現用光パスを設定するようにしたので、Ｍ：Ｎプロテクションにおいて、予備用光パスおよび現用光パスの設定後、現用パスの光スイッチ回路を保持したまま、実際のパス運用を開始することができる。
【０２３０】
なお、図２５に示す伝送システムにおいては、予備用光パスと現用光パスが一つずつ設定される１：１プロテクションと呼ばれる形態について示したが、上記予備用光パスの設定及び現用光パスの設定を各々複数回繰り返すことにより、複数の現用光パスを複数の予備用光パスで保守するＭ：Ｎプロテクションにも適用可能である。さらに実施の形態６と同様に、実施の形態７を上流方向パスおよび下流方向パスの何れにも適用可能である。
【０２３１】
【発明の効果】
以上説明したように、この発明によれば、光パス設定通知を用いてパス起動ノードおよびパス終端ノード間で光パスを設定した後、監視光信号および検査通知、正常通知、障害通知などの制御信号をパス起動ノードとパス終端ノードの間でのみ送受信することにより下流方向光パスの正常性の確認を行うようにしているので、簡便で高速な光パスの検査が可能となる。
【０２３２】
つぎの発明によれば、光パス設定通知によるパス設定の際、パス終端ノードでは、下流側のノードに監視光信号が出力されないように光スイッチの設定を行っているので、パスの終端側の光出力端より先に監視光信を漏洩することなく下流方向光パスの正常性を確認することができる。
【０２３３】
つぎの発明によれば、光パス設定通知を用いてパス起動ノードおよびパス終端ノード間で光パスを設定した後、監視光信号および検査通知、正常通知、障害通知などの制御信号をパス起動ノードとパス終端ノードの間でのみ送受信することにより上流方向光パスの正常性の確認を行うようにしているので、簡便で高速な光パスの検査が可能となる。
【０２３４】
つぎの発明によれば、光パス設定通知によるパス設定の際、パス起動ノードでは、上流側のノードに監視光信号が出力されないように光スイッチの設定を行っているので、パスの起動側の光出力端より上流側に監視光信を漏洩することなく光パスの正常性を確認することができる。
【０２３５】
つぎの発明によれば、光パス設定通知を用いてパス起動ノードおよびパス終端ノード間で光パスを設定した後、監視光信号および検査通知などの制御信号を隣接ノード間で送受信することで、隣接ノード間毎に伝送路の正常性を確認することによって下流方向光パスの正常性を検査確認するようにしているので、障害位置を認知することができ、代替え光パスの作成および障害復旧を高速になし得る。さらに障害位置を特定することができるため、この情報を利用してパス起動ノードは新しい光パスを設定時に、構成に失敗した光パスのうち障害を避けたリンク、ノードを利用することができ、効率のよいリソース配分が可能となる。また光パス上の二重障害を検出することも可能となる。
【０２３６】
つぎの発明によれば、光パス設定通知によるパス設定の際、パス終端ノードでは、下流側のノードに監視光信号が出力されないように光スイッチの設定を行っているので、パスの終端側の光出力端より先に監視光信号を漏洩することなく下流方向光パスの正常性を確認することができる。
【０２３７】
つぎの発明によれば、各中間ノードは、障害発生の場合、監視光信号を送出しているノードを示す監視光信号送出ノード情報を前記検査通知に付加して隣接する下流側のノードに送出し、各中間ノードは、障害発生の場合は、障害通知を検査通知に含まれる監視光信号送出ノード情報で識別されるノードにも送出するようにしているので、この障害通知により監視光信号の送出を適正な時期に確実に停止させることができる。
【０２３８】
つぎの発明によれば、障害通知を受信したノードでは、監視光信号の送出を停止するようにしているので、監視光信号の送出を適正な時期に確実に停止させることができる。
【０２３９】
つぎの発明によれば、光パス設定通知を用いてパス起動ノードおよびパス終端ノード間で光パスを設定した後、監視光信号および検査通知などの制御信号を隣接ノード間で送受信することで、隣接ノード間毎に伝送路の正常性を確認することによって上流方向光パスの正常性を検査確認するようにしているので、障害位置を認知することができ、代替え光パスの作成および障害復旧を高速になし得る。さらに障害位置を特定することができるため、この情報を利用してパス起動ノードは新しい光パスを設定時に、構成に失敗した光パスのうち障害を避けたリンク、ノードを利用することができ、効率のよいリソース配分が可能となる。また光パス上の二重障害を検出することも可能となる。
【０２４０】
つぎの発明によれば、光パス設定通知によるパス設定の際、パス起動ノードでは、上流側のノードに監視光信号が出力されないように光スイッチの設定を行っているので、パスの起動側の光出力端より上流側に監視光信号を漏洩することなく上流方向光パスの正常性を確認することができる。
【０２４１】
つぎの発明によれば、各中間ノードは、障害発生の場合、監視光信号を送出しているノードを示す監視光信号送出ノード情報を前記検査通知に付加して隣接する上流側のノードに送出し、各中間ノードは、障害発生の場合は、障害通知を検査通知に含まれる監視光信号送出ノード情報で識別されるノードにも送出するようにしているので、この障害通知により監視光信号の送出を適正な時期に確実に停止させることができる。
【０２４２】
つぎの発明によれば、障害通知を受信したノードでは、監視光信号の送出を停止するようにしているので、監視光信号の送出を適正な時期に確実に停止させることができる。
【０２４３】
つぎの発明によれば、光パス設定通知を用いてパス起動ノードおよびパス終端ノード間で光パスを設定した後、連続した３個のノード間を基本単位にして、１ノードずつ基本単位を順次ずらしながら伝送路の正常性を確認することで、下流方向光パスの正常性を確認しているので、障害位置を認知することができ、代替え光パスの作成および障害復旧を高速になし得る。さらに障害位置を特定することができるため、この情報を利用してパス起動ノードは新しい光パスを設定時に、構成に失敗した光パスのうち障害を避けたリンク、ノードを利用することができ、効率のよいリソース配分が可能となる。また光パス上の二重障害を検出することも可能となる。さらに、１回の検査処理でノードとその光入力端側で選択されたリンクおよびその光出力端側で選択されたリンクを合せて正常性を確認することができ、より信頼性の高い正常性確認処理をなし得る。
【０２４４】
つぎの発明によれば、光パス設定通知によるパス設定の際、パス終端ノードでは、下流側のノードに監視光信号が出力されないように光スイッチの設定を行っているので、パスの終端側の光出力端より先に監視光信号を漏洩することなく光パスの正常性を確認することができる。
【０２４５】
つぎの発明によれば、各中間ノードは、障害発生の場合、監視光信号を送出しているノードを示す監視光信号送出ノード情報を検査通知に付加して隣接する下流側のノードに送出し、各中間ノードは、障害発生の場合は、障害通知を検査通知に含まれる監視光信号送出ノード情報で識別されるノードにも送出するようにしているので、この障害通知により監視光信号の送出を適正な時期に確実に停止させることができる。
【０２４６】
つぎの発明によれば、障害通知を受信したノードでは、監視光信号の送出を停止するようにしているので、監視光信号の送出を適正な時期に確実に停止させることができる。
【０２４７】
つぎの発明によれば、光パス設定通知を用いてパス起動ノードおよびパス終端ノード間で光パスを設定した後、連続した３個のノード間を基本単位にして、１ノードずつ基本単位を順次ずらしながら伝送路の正常性を確認することで、上流方向光パスの正常性を確認しているので、障害位置を認知することができ、代替え光パスの作成および障害復旧を高速になし得る。さらに障害位置を特定することができるため、この情報を利用してパス起動ノードは新しい光パスを設定時に、構成に失敗した光パスのうち障害を避けたリンク、ノードを利用することができ、効率のよいリソース配分が可能となる。また光パス上の二重障害を検出することも可能となる。さらに、１回の検査処理でノードとその光入力端側で選択されたリンクおよびその光出力端側で選択されたリンクを合せて正常性を確認することができ、より信頼性の高い正常性確認処理をなし得る。
【０２４８】
つぎの発明によれば、光パス設定通知によるパス設定の際、パス起動ノードでは、上流側のノードに監視光信号が出力されないように光スイッチの設定を行っているので、パスの起動側の光出力端より上流側に監視光信号を漏洩することなく光パスの正常性を確認することができる。
【０２４９】
つぎの発明によれば、各中間ノードは、障害発生の場合、監視光信号を送出しているノードを示す監視光信号送出ノード情報を検査通知に付加して隣接する上流側のノードに送出し、各中間ノードは、障害発生の場合は、障害通知を検査通知に含まれる監視光信号送出ノード情報で識別されるノードにも送出するようにしているので、この障害通知により監視光信号の送出を適正な時期に確実に停止させることができる。
【０２５０】
つぎの発明によれば、障害通知を受信したノードでは、監視光信号の送出を停止するようにしているので、監視光信号の送出を適正な時期に確実に停止させることができる。
【０２５１】
つぎの発明によれば、光パスを構成する各ノードが光パス設定通知の受信と同時に光パス正常性確認処理を各ノード、各光ファイバ伝送路毎に実行することで下流方向パスの正常性を検査するようにしたので、光ファイバ伝送路上の障害を光パスの設定時にすぐに検出し、管理装置へ通知し新たな代替え光パスを用意することが可能である。さらに障害検出ノードが自ノード内の光スイッチとその光出力端につながる光ファイバ伝送路の障害を特定することができるので、各ノードにおいて光スイッチの方路設定を変更したり、代替え光ファイバ伝送路を用意したりして、高速に障害から復旧することができる。
【０２５２】
つぎの発明によれば、光パス設定通知によるパス設定の際、パス終端ノードでは、下流側のノードに監視光信号が出力されないように光スイッチの設定を行っているので、パスの終端側の光出力端より先に監視光信を漏洩することなく光パスの正常性を確認することができる。
【０２５３】
つぎの発明によれば、各ノードは、隣接する下流側のノードからの非検出通知を受信すると、障害位置情報を含む障害通知をパス起動ノードまたは光ネットワークの管理装置に発行するようにしているので、より確実にパス起動ノードまたは光ネットワークの管理装置に対し障害を報告することができる。
【０２５４】
つぎの発明によれば、各ノードは、検査通知を隣接する下流側のノードに送出してから所定時間経過後も非検出通知または検出通知を受信しない場合、障害通知を発生するようにしているので、検査通知を送出する伝送路の障害に対しても対処することが可能となる。
【０２５５】
つぎの発明によれば、各ノードが隣接する下流側のノードに送出する検査通知には、障害発生の場合は障害発生位置情報を含んでおり、パス終端ノードは、隣接する上流側のノードからの監視光信号を監視して光パスの正常／障害発生を判断し、その判断結果と検査通知に含まれる障害発生位置情報に基づき光パス全体の正常／障害発生を判断し、正常通知または障害発生位置情報を含む障害通知をパス起動ノードまたは光ネットワークの管理装置に送信するようにしているので、パス起動ノードまたは光ネットワークの管理装置はネットワーク全体としての障害発生箇所を確実に認識することができる。
【０２５６】
つぎの発明によれば、光パスを構成する各ノードが光パス設定通知の受信と同時に光パス正常性確認処理を各ノード、各光ファイバ伝送路毎に実行することで上流方向パスの正常性を検査するようにしたので、光ファイバ伝送路上の障害を光パスの設定時にすぐに検出し、管理装置へ通知し新たな代替え光パスを用意することが可能である。さらに障害検出ノードが自ノード内の光スイッチとその光出力端につながる光ファイバ伝送路の障害を特定することができるので、各ノードにおいて光スイッチの方路設定を変更したり、代替え光ファイバ伝送路を用意したりして、高速に障害から復旧することができる。
【０２５７】
つぎの発明によれば、各ノードは、隣接する上流側のノードからの非検出通知を受信すると、障害位置情報を含む障害通知をパス起動ノードまたは光ネットワークの管理装置に発行するようにしているので、より確実にパス起動ノードまたは光ネットワークの管理装置に対し障害を報告することができる。
【０２５８】
つぎの発明によれば、各ノードは、検査通知を隣接する上流側のノードに送出してから所定時間経過後も非検出通知または検出通知を受信しない場合、障害通知を発生するようにしているので、検査通知を送出する伝送路の障害に対しても対処することが可能となる。
【０２５９】
つぎの発明によれば、各ノードが隣接する下流側のノードに送出する検出通知または非検出通知には、障害発生の場合は障害発生位置情報を含んでおり、パス終端ノードは、検出通知または非検出通知に含まれる障害発生位置情報に基づき光パス全体の正常／障害発生を判断し、正常通知または障害発生位置情報を含む障害通知をパス起動ノードまたは光ネットワークの管理装置に送信するようにしているので、パス起動ノードまたは光ネットワークの管理装置はネットワーク全体としての障害発生箇所を確実に認識することができる。
【０２６０】
つぎの発明によれば、信号が複製された予備用光パスを有する光パスを設定する場合に、パス終端ノードの光スイッチ回路をパス設定時に方路設定して監視を行った後、方路設定された現用光パスをそのままの状態に保持して、パス終端ノードの前段信号監視部を用いて予備用光パスの監視を実行するようにしているので、方路設定された現用光パスをそのままの状態に保持したまま下流方向の予備用光パスの監視を実行できることとなり、これにより予備用光パスを検査している状態で実際の現用パス運用を開始することができる。
【０２６１】
つぎの発明によれば、上記の発明の何れか一つの光ネットワークにおける光パス正常性確認方法を用いて前記所定の光パス正常性確認処理を実行するようにしているので、下流方向の予備用光パスを検査している状態で実際の現用パス運用を開始することができるとともに、上述した各光パス正常性確認方法における効果も期待することができる。
【０２６２】
つぎの発明によれば、信号が複製された上流方向の予備用光パスを有する光パスを設定する場合に、パス起動ノードの光スイッチ回路をパス設定時に方路設定して監視を行った後、方路設定された現用光パスをそのままの状態に保持して、パス起動ノードの前段信号監視部を用いて予備用光パスの監視を実行するようにしているので、方路設定された現用光パスをそのままの状態に保持したまま上流方向の予備用光パスの監視を実行できることとなり、これにより予備用光パスを検査している状態で実際の現用パス運用を開始することができる。
【０２６３】
つぎの発明によれば、上記の発明の何れか一つの光ネットワークにおける光パス正常性確認方法を用いて前記所定の光パス正常性確認処理を実行するようにしているので、上流方向の予備用光パスを検査している状態で実際の現用パス運用を開始することができるとともに、上述した各光パス正常性確認方法における効果も期待することができる。
【０２６４】
つぎの発明によれば、先に予備用光パスを設定してからその後で現用光パスを設定するようにしたので、Ｍ：Ｎプロテクションにおいて、予備用光パスおよび現用光パスの設定後、現用パスの光スイッチ回路を保持したまま、実際のパス運用を開始することができる。
【０２６５】
つぎの発明によれば、上記の発明の何れか一つの光ネットワークにおける光パス正常性確認方法を用いて前記所定の光パス正常性確認処理を実行するようにしているので、現用パスの光スイッチ回路を保持したまま、実際のパス運用を開始することができるとともに、上述した各光パス正常性確認方法における効果も期待することができる。
【図面の簡単な説明】
【図１】  この発明に適用される光クロスコネクト装置のＯＸＣ制御部の内部構成を示すブロック図である。
【図２】  この発明に適用される光クロスコネクト装置のＯＸＣ光信号伝送部の内部構成を示すブロック図である。
【図３】  この発明に適用される光クロスコネクト装置において使用される各種制御信号の略号及び使用箇所を示す図である。
【図４】  実施の形態１を説明するための図であって、光パスが正常な場合の、光パス設定時における光パスの正常確認のための各ノード間の制御信号および監視光信号の通信を表すシーケンス図である。
【図５】  実施の形態１を説明するための図であって、光パスに障害が発生している場合の、光パス設定時における光パスの正常確認のための各ノード間の制御信号および監視光信号の通信を表すシーケンス図である。
【図６】  実施の形態２を説明するための図であって、光パスが正常な場合の、光パス設定時における光パスの正常確認のための各ノード間の制御信号および監視光信号の通信を表すシーケンス図である。
【図７】  実施の形態２を説明するための図であって、光パスに障害が発生している場合の、光パス設定時における光パスの正常確認のための各ノード間の制御信号および監視光信号の通信を表すシーケンス図である。
【図８】  実施の形態２を説明するための図であって、設定パスおよび制御信号網に同時障害が発生している場合の、光パス設定時における光パスの正常確認のための各ノード間の制御信号および監視光信号の通信を表すシーケンス図である。
【図９】  実施の形態３を説明するための図であって、光パスが正常な場合の、光パス設定時における光パスの正常確認のための各ノード間の制御信号および監視光信号の通信を表すシーケンス図である。
【図１０】  実施の形態３を説明するための図であって、光パスに障害が発生している場合の、光パス設定時における光パスの正常確認のための各ノード間の制御信号および監視光信号の通信を表すシーケンス図である。
【図１１】  実施の形態５を説明するための図であって、上流方向パス正常性確認のための各ノード間の制御信号および監視光信号の通信を表すシーケンス図である。
【図１２】  実施の形態５における上流方向パス正常性確認のためのパス起動ノードの動作を示すフローチャートである。
【図１３】  実施の形態５における上流方向パス正常性確認のための中間ノードの動作を示すフローチャートである。
【図１４】  実施の形態５における上流方向パス正常性確認のためのパス終端ノードの動作を示すフローチャートである。
【図１５】  実施の形態５を説明するための図であって、下流方向パス正常性確認のための各ノード間の制御信号および監視光信号の通信を表すシーケンス図である。
【図１６】  実施の形態５における下流方向パス正常性確認のためのパス起動ノードの動作を示すフローチャートである。
【図１７】  実施の形態５における下流方向パス正常性確認のための中間ノードの動作を示すフローチャートである。
【図１８】  実施の形態５における下流方向パス正常性確認のためのパス終端ノードの動作を示すフローチャートである。
【図１９】  実施の形態６および７に係わる光クロスコネクト装置の例を示すブロック図である。
【図２０】  実施の形態６を適用する光伝送システムを示すブロック図である。
【図２１】  実施の形態６において、現用光パスの設定手順を示すフローチャートである。
【図２２】  実施の形態６において、予備用光パスの設定手順を示すフローチャートである。
【図２３】  実施の形態６において、現用光パスの監視時の光パス設定状態を示すブロック図である。
【図２４】  実施の形態６において、予備用光パスの監視時の光パス設定状態を示すブロック図である。
【図２５】  実施の形態７を適用する光伝送システムを示すブロック図である。
【図２６】  実施の形態７において、予備用光パスの設定手順を示すフローチャートである。
【図２７】  実施の形態７において、現用光パスの設定手順を示すフローチャートである。
【図２８】  従来技術を示すブロック図である。
【符号の説明】
１  光クロスコネクト装置（ＯＸＣ）、１０  ＯＸＣ制御部、１１  スイッチ制御部、１２  パス設定部、１３  正常性確認部、１５  制御信号網、２０  ＯＸＣ光信号伝送部、２１  光入力端、２２  光外部入力端、２３  監視光信号挿入部、２４  前段信号監視部、２５  光スイッチ回路、２６  後段信号監視部、２７  後段光スイッチ、２８  光出力端、２９  監視光信号用光源、３１  光挿入分岐部、３２  後段光スイッチ、Check  （パス正常性）検査通知、End  終了通知、Fault  障害通知、Health  正常通知、Mon  監視光信号、Nok  非検出通知、Ok  検出通知、Path  光パス設定通知、Resv  リソース確保通知。
【図１】
0003938315.tif 000002
【図２】
0003938315.tif 000003
【図３】
0003938315.tif 000004
【図４】
0003938315.tif 000005
【図５】
0003938315.tif 000006
【図６】
0003938315.tif 000007
【図７】
0003938315.tif 000008
【図８】
0003938315.tif 000009
【図９】
0003938315.tif 000010
【図１０】
0003938315.tif 000011
【図１１】
0003938315.tif 000012
【図１２】
0003938315.tif 000013
【図１３】
0003938315.tif 000014
【図１４】
0003938315.tif 000015
【図１５】
0003938315.tif 000016
【図１６】
0003938315.tif 000017
【図１７】
0003938315.tif 000018
【図１８】
0003938315.tif 000019
【図１９】
0003938315.tif 000020
【図２０】
0003938315.tif 000021
【図２１】
0003938315.tif 000022
【図２２】
0003938315.tif 000023
【図２３】
0003938315.tif 000024
【図２４】
0003938315.tif 000025
【図２５】
0003938315.tif 000026
【図２６】
0003938315.tif 000027
【図２７】
0003938315.tif 000028
【図２８】
0003938315.tif 000029